(57)【特許請求の範囲】
【請求項１】
血液の凝固能に関する分析を行う血液凝固分析装置において、
試薬を収容した複数の試薬容器を設置し、設置された前記各試薬容器を第１および第２吸引位置に移送するための試薬テーブルと、
前記第１吸引位置に移送された前記試薬容器からトリガー試薬を吸引し、吸引したトリガー試薬を加温し、加温したトリガー試薬を加温された反応容器に分注するための第１試薬分注部と、
前記第２吸引位置に移送された前記試薬容器からトリガー試薬を吸引し、吸引したトリガー試薬を加温し、加温したトリガー試薬を加温された反応容器に分注するための第２試薬分注部と、
前記第１試薬分注部により分注されたトリガー試薬と検体とを含む測定試料を収容した前記複数の反応容器をそれぞれ保持するための複数の第１保持部と、前記複数の第１保持部のそれぞれに対応して設けられた複数の第１検出部とを有する第１検出ユニットと、
前記第２試薬分注部により分注されたトリガー試薬と検体とを含む測定試料を収容した前記複数の反応容器をそれぞれ保持するための複数の第２保持部と、前記複数の第２保持部のそれぞれに対応して設けられた複数の第２検出部とを有する第２検出ユニット、
前記検体を収容した前記複数の反応容器をそれぞれ保持するための複数の保持孔と、前記複数の保持孔にそれぞれ保持された前記複数の反応容器を加温するヒーターとを有する加温テーブルと、
前記加温テーブルの前記保持孔に保持された前記反応容器を、前記複数の第１保持部のいずれか１つに移送する第１移送部と、
前記加温テーブルの前記保持孔に保持された前記反応容器を、前記複数の第２保持部のいずれか１つに移送する第２移送部と、
前記第１試薬分注部を使用するように設定された測定項目に関するトリガー試薬を収容する前記試薬容器を前記第１吸引位置に移送し、前記第２試薬分注部を使用するように設定された測定項目に関するトリガー試薬を収容する前記試薬容器を前記第２吸引位置に移送するように前記試薬テーブルを制御する制御部と、を備え、
前記第１検出ユニットの一端と前記第２検出ユニットの一端が近接し、且つ、前記第１保持部の並び方向と前記第２保持部の並び方向が実質的に直交するように、前記第１検出ユニットと前記第２検出ユニットが配置され、前記第１検出ユニットと前記第２検出ユニットとに前記加温テーブルが挟まれて配置されている、血液凝固分析装置。
【請求項２】
前記測定項目ごとに使用する試薬分注部の設定を受け付ける受付部を備え、
前記制御部は、前記受付部を介して受け付けられた前記設定に応じて、前記試薬テーブルを制御する、請求項１に記載の血液凝固分析装置。
【請求項３】
前記第１試薬分注部は、第１ピペットと、前記第１ピペットにより保持したトリガー試薬を加温する第１ヒーターとを備え、
前記第２試薬分注部は、第２ピペットと、前記第２ピペットにより保持したトリガー試薬を加温する第２ヒーターとを備える、請求項１または２に記載の血液凝固分析装置。
【請求項４】
前記試薬テーブルに設置された前記試薬容器を冷却する冷却装置を備える、請求項１ないし３の何れか一項に記載の血液凝固分析装置。
【請求項５】
前記第１検出部は、前記第１試薬分注部によりトリガー試薬が分注され前記第１保持部に保持された前記反応容器中の前記測定試料から分析のための信号を検出し、
前記第２検出部は、前記第２試薬分注部によりトリガー試薬が分注され前記第２保持部に保持された前記反応容器中の前記測定試料から分析のための信号を検出し、
前記制御部は、前記第１検出部により検出された信号に基づいて前記第１保持部に保持された前記反応容器中の前記検体を分析し、前記第２検出部により検出された信号に基づいて前記第２保持部に保持された前記反応容器中の前記検体を分析する、請求項１ないし４の何れか一項に記載の血液凝固分析装置。
【請求項６】
光源部と、前記光源部から照射された光を前記第１検出部に導く第１光ファイバーと、前記光源部から照射された光を前記第２検出部に導く第２光ファイバーと、を有する光照射ユニットを備える、請求項５に記載の血液凝固分析装置。
【請求項７】
前記光源部は、血液凝固時間測定用の第１波長の光、合成基質測定用の第２波長の光、および免疫比濁測定用の第３波長の光の少なくとも一つを照射する、請求項６に記載の血液凝固分析装置。
【請求項８】
前記光源部は、血液凝固時間測定用の第１波長の光、合成基質測定用の第２波長の光、および免疫比濁測定用の第３波長の光を照射する、請求項６または７に記載に血液凝固分析装置。
【請求項９】
前記光源部は、第１波長の光、第２波長の光、および第３波長の光を、順番に繰り返し照射し、
前記制御部は、前記第１波長、第２波長、および第３波長の各波長の光ごとに時系列データを生成し、生成した時系列データに基づいて検体を分析し、
前記第１波長の光、第２波長の光、および第３波長の光は、それぞれ、血液凝固時間測定用の光、合成基質測定用の光、および免疫比濁測定用の光のいずれかである、請求項６ないし８の何れか一項に記載の血液凝固分析装置。
【請求項１０】
前記第１検出部は、前記第１保持部に保持された前記反応容器から光を受光して、分析のための信号を出力するセンサを有し、
前記第２検出部は、前記第２保持部に保持された前記反応容器から光を受光して、分析のための信号を出力するセンサを有し、
前記制御部は、前記第１検出部の前記センサが出力する信号の経時変化に基づき前記第１保持部に保持された前記反応容器中の前記検体を分析し、前記第２検出部の前記センサが出力する信号の経時変化に基づき前記第２保持部に保持された前記反応容器中の前記検体を分析する、請求項６ないし９の何れか一項に記載の血液凝固分析装置。
【請求項１１】
前記制御部は、前記第１検出部により検出された信号に基づいて凝固時間を算出し、前記第２検出部により検出された信号に基づいて凝固時間を算出する、請求項５ないし１０の何れか一項に記載の血液凝固分析装置。
【請求項１２】
前記第１移送部は、第１位置の前記保持孔に保持された前記反応容器を、前記第１保持部に移送し、
前記第２移送部は、前記第１位置とは異なる第２位置の前記保持孔に保持された前記反応容器を、前記第２保持部に移送する、請求項１ないし１１の何れか一項に記載の血液凝固分析装置。
【請求項１３】
前記第１試薬分注部は、前記第１移送部による前記反応容器の移送経路の第１吐出位置でトリガー試薬を前記反応容器に分注し、
前記第２試薬分注部は、前記第２移送部による前記反応容器の移送経路の第２吐出位置でトリガー試薬を前記反応容器に分注する、請求項１ないし１２の何れか一項に記載の血液凝固分析装置。
【請求項１４】
前記第１移送部が前記反応容器を前記第１吐出位置から前記第１検出ユニットまで移送する移送距離と、前記第２移送部が前記反応容器を前記第２吐出位置から前記第２検出ユニットまで移送する移送距離とが実質的に等しい、請求項１３に記載の血液凝固分析装置。
【請求項１５】
第１側面と、前記第１側面に隣接する第２側面と、を含む筐体を備え、
前記加温テーブルは、前記筐体の内側であって、前記第１側面と前記第２側面の隣接部分の近傍に配置されており、
前記第１検出ユニットは、前記第１側面の前記隣接部分に近い側に、前記筐体の前記第１側面に沿うように配置され、
前記第２検出ユニットは、前記第２側面の前記隣接部分に近い側に、前記筐体の前記第２側面に沿うように配置され、
前記第１検出ユニットの前記第１保持部は、平面視において前記第１側面に沿って並び、
前記第２検出ユニットの前記第２保持部は、平面視において前記第２側面に沿って並ぶ、請求項１ないし１４の何れか一項に記載の血液凝固分析装置。
【請求項１６】
前記検体を収容した検体容器を検体吸引位置に搬送する搬送部と、
前記搬送部により搬送された検体容器から前記検体を前記反応容器に分注する検体分注ユニットと、を備え、
前記筐体は、前記第１側面に隣接せず、前記第２側面と隣接する第３側面を含み、
前記搬送部は、前記筐体の前記第３側面に沿うように配置されている、請求項１５に記載の血液凝固分析装置。
【請求項１７】
廃棄される前記反応容器を収容する廃棄ユニットと、
前記第１保持部に保持され廃棄対象となった前記反応容器を前記廃棄ユニットへ移送する第１廃棄用移送部と、
前記第２保持部に保持され廃棄対象となった前記反応容器を前記廃棄ユニットへ移送する第２廃棄用移送部と、を備える、請求項１ないし１６の何れか一項に記載の血液凝固分析装置。
【請求項１８】
前記検体を収容した検体容器を検体吸引位置に搬送する搬送部と、
前記検体吸引位置に搬送された前記検体容器から前記検体を吸引し、吸引した前記検体を第１検体吐出位置にある前記反応容器に分注し、前記検体吸引位置に搬送された前記検体容器から前記検体を吸引し、吸引した前記検体を第２検体吐出位置にある前記反応容器に分注する検体分注ユニットと、
前記検体分注ユニットにより前記検体が分注された前記反応容器を前記第１検体吐出位置から前記加温テーブルに移送する第１検体移送部と、
前記検体分注ユニットにより前記検体が分注された前記反応容器を前記第２検体吐出位置から前記加温テーブルに移送する第２検体移送部と、を備える、請求項１ないし１７の何れか一項に記載の血液凝固分析装置。
【請求項１９】
前記検体を収容した検体容器を前記検体分注ユニットによる吸引位置に搬送する搬送部を備え、
前記検体分注ユニットは、前記搬送部により前記吸引位置に搬送された前記検体容器から前記検体を吸引し、吸引した前記検体を前記反応容器に分注する、請求項１８に記載の血液凝固分析装置。
【請求項２０】
前記第１試薬分注部と前記第２試薬分注部は、前記試薬テーブルの上方に配置された支持部に支持されている、請求項１ないし１９の何れか一項に記載の血液凝固分析装置。
【請求項２１】
前記制御部は、前記測定試料を測定するための機構を制御する第１制御部と、前記検体の分析を行う第２制御部とを含む、請求項１ないし２０の何れか一項に記載の血液凝固分析装置。
【請求項２２】
検体は、血漿または血清である、請求項１ないし２１の何れか一項に記載の血液凝固分析装置。
【請求項２３】
血液の凝固能に関する分析を行う血液凝固分析装置において、
試薬を収容した複数の試薬容器を設置し、設置された前記各試薬容器を第１および第２吸引位置に移送するための試薬テーブルと、
前記第１吸引位置に移送された前記試薬容器からトリガー試薬を吸引し、吸引したトリガー試薬を加温し、加温したトリガー試薬を加温された反応容器に分注するための第１試薬分注部と、
前記第２吸引位置に移送された前記試薬容器からトリガー試薬を吸引し、吸引したトリガー試薬を加温し、加温したトリガー試薬を加温された反応容器に分注するための第２試薬分注部と、
前記第１試薬分注部により分注されたトリガー試薬と検体とを含む測定試料を収容した前記複数の反応容器をそれぞれ保持するための複数の第１保持部と、前記複数の第１保持部のそれぞれに対応して設けられた複数の第１検出部とを有する第１検出ユニットと、
前記第２試薬分注部により分注されたトリガー試薬と検体とを含む測定試料を収容した前記複数の反応容器をそれぞれ保持するための複数の第２保持部と、前記複数の第２保持部のそれぞれに対応して設けられた複数の第２検出部とを有する第２検出ユニット、
前記検体を収容した前記複数の反応容器をそれぞれ保持するための複数の保持孔と、前記複数の保持孔にそれぞれ保持された前記複数の反応容器を加温するヒーターとを有する加温テーブルと、
前記加温テーブルの前記保持孔に保持された前記反応容器を、前記複数の第１保持部のいずれか１つに移送する第１移送部と、
前記加温テーブルの前記保持孔に保持された前記反応容器を、前記複数の第２保持部のいずれか１つに移送する第２移送部と、
前記第１試薬分注部を使用するように設定された測定項目に関するトリガー試薬を収容する前記試薬容器を前記第１吸引位置に移送し、前記第２試薬分注部を使用するように設定された測定項目に関するトリガー試薬を収容する前記試薬容器を前記第２吸引位置に移送するように前記試薬テーブルを制御する制御部と、
第１側面と、前記第１側面に隣接する第２側面と、を含む筐体と、を備え、
前記加温テーブルは、前記筐体の内側であって、前記第１側面と前記第２側面の隣接部分の近傍に配置されており、
前記第１検出ユニットは、前記第１側面の前記隣接部分に近い側に、前記筐体の前記第１側面に沿うように配置され、
前記第２検出ユニットは、前記第２側面の前記隣接部分に近い側に、前記筐体の前記第２側面に沿うように配置され、
前記第１検出ユニットの前記第１保持部は、平面視において前記第１側面に沿って並び、
前記第２検出ユニットの前記第２保持部は、平面視において前記第２側面に沿って並ぶ、血液凝固分析装置。
【請求項２４】
複数の前記第１保持部の並ぶ方向と、複数の前記第２保持部の並ぶ方向とが、実質的に直交する、請求項２３に記載の血液凝固分析装置。
【請求項２５】
前記検体を収容した検体容器を検体吸引位置に搬送する搬送部と、
前記搬送部により搬送された検体容器から前記検体を前記反応容器に分注する検体分注ユニットと、を備え、
前記筐体は、前記第１側面に隣接せず、前記第２側面と隣接する第３側面を含み、
前記搬送部は、前記筐体の前記第３側面に沿うように配置されている、請求項２３または２４に記載の血液凝固分析装置。
【発明の詳細な説明】
【技術分野】
【０００１】
本発明は、血液の凝固能を分析する血液凝固分析装置に関する。
【背景技術】
【０００２】
検体と試薬とを混合して調製した試料を分析する検体分析装置が知られている。特許文献１には、検体の処理能力を向上させるために、互いに略同じ構成の分析装置と拡張用分析装置とを有し、凝固時間法を用いて検体を分析する分析システムが記載されている。
【先行技術文献】
【特許文献】
【０００３】
【特許文献１】特開２００７−１０５６２号公報
【発明の概要】
【発明が解決しようとする課題】
【０００４】
血液凝固分析装置では、検体の処理能力の向上とともに、血液凝固分析装置の小型化が望まれている。上記特許文献１の構成では、検体の処理能力は向上するものの、略同じ構成の分析装置と拡張用分析装置が配置されるため、装置全体の設置面積が大きくなる。また、臨床検査の中でも、血液凝固検査では、正確な測定結果を得るために、分注する試薬の量のみならず、分注する試薬の温度についても、予め決められた条件に厳密に従って測定を行うことが求められる。そのため、凝固時間法を用いて検体を分析するような分析システムにおいて、２つの分析装置で同一の測定項目について検体を測定した場合、２つの分析装置の間で測定精度に差が生じ得る。この差を抑制するために、ユーザは、それぞれの分析装置に対して、検量線の準備や精度管理といった準備作業を同様に行わなければならない。
【課題を解決するための手段】
【０００５】
本発明の第１の態様は、血液の凝固能に関する分析を行う血液凝固分析装置に関する。本態様に係る血液凝固分析装置は、試薬を収容した複数の試薬容器を設置し、設置された各試薬容器を第１および第２吸引位置に移送するための試薬テーブルと、第１吸引位置に移送された試薬容器からトリガー試薬を吸引し、吸引したトリガー試薬を加温し、加温したトリガー試薬を加温された反応容器に分注するための第１試薬分注部と、第２吸引位置に移送された試薬容器からトリガー試薬を吸引し、吸引したトリガー試薬を加温し、加温したトリガー試薬を反応容器に分注するための第２試薬分注部と、第１試薬分注部により分注されたトリガー試薬と検体とを含む測定試料を収容した複数の反応容器をそれぞれ保持するための複数の第１保持部と、複数の第１保持部のそれぞれに対応して設けられた複数の第１検出部とを有する第１検出ユニットと、第２試薬分注部により分注されたトリガー試薬と検体とを含む測定試料を収容した複数の反応容器をそれぞれ保持するための複数の第２保持部と、複数の第２保持部のそれぞれに対応して設けられた複数の第２検出部とを有する第２検出ユニット、検体を収容した複数の反応容器をそれぞれ保持するための複数の保持孔と、複数の保持孔にそれぞれ保持された複数の反応容器を加温するヒーターとを有する加温テーブルと、加温テーブルの保持孔に保持された反応容器を、複数の第１保持部のいずれか１つに移送する第１移送部と、加温テーブルの保持孔に保持された反応容器を、複数の第２保持部のいずれか１つに移送する第２移送部と、第１試薬分注部により分注されたトリガー試薬と検体とを含む測定試料を収容した複数の反応容器および第２試薬分注部により分注されたトリガー試薬と検体とを含む測定試料を収容した複数の反応容器をそれぞれ保持するための複数の保持部と、複数の保持部のそれぞれに対応して設けられた複数の検出部とを有する検出ユニットと、第１試薬分注部を使用するように設定された測定項目に関するトリガー試薬を収容する試薬容器を第１吸引位置に移送し、第２試薬分注部を使用するように設定された測定項目に関するトリガー試薬を収容する試薬容器を第２吸引位置に移送するように試薬テーブルを制御する制御部と、を備える。第１検出ユニットの一端と第２検出ユニットの一端が近接し、且つ、第１保持部の並び方向と第２保持部の並び方向が実質的に直交するように、第１検出ユニットと第２検出ユニットが配置され、第１検出ユニットと第２検出ユニットとに加温テーブルが挟まれて配置されている。
本発明の第２の態様は、血液の凝固能に関する分析を行う血液凝固分析装置に関する。本態様に係る血液凝固分析装置は、試薬を収容した複数の試薬容器を設置し、設置された各試薬容器を第１および第２吸引位置に移送するための試薬テーブルと、第１吸引位置に移送された試薬容器からトリガー試薬を吸引し、吸引したトリガー試薬を加温し、加温したトリガー試薬を加温された反応容器に分注するための第１試薬分注部と、第２吸引位置に移送された試薬容器からトリガー試薬を吸引し、吸引したトリガー試薬を加温し、加温したトリガー試薬を加温された反応容器に分注するための第２試薬分注部と、第１試薬分注部により分注されたトリガー試薬と検体とを含む測定試料を収容した複数の反応容器をそれぞれ保持するための複数の第１保持部と、複数の第１保持部のそれぞれに対応して設けられた複数の第１検出部とを有する第１検出ユニットと、第２試薬分注部により分注されたトリガー試薬と検体とを含む測定試料を収容した複数の反応容器をそれぞれ保持するための複数の第２保持部と、複数の第２保持部のそれぞれに対応して設けられた複数の第２検出部とを有する第２検出ユニット、検体を収容した複数の反応容器をそれぞれ保持するための複数の保持孔と、複数の保持孔にそれぞれ保持された複数の反応容器を加温するヒーターとを有する加温テーブルと、加温テーブルの保持孔に保持された反応容器を、複数の第１保持部のいずれか１つに移送する第１移送部と、加温テーブルの保持孔に保持された反応容器を、複数の第２保持部のいずれか１つに移送する第２移送部と、第１試薬分注部を使用するように設定された測定項目に関するトリガー試薬を収容する試薬容器を第１吸引位置に移送し、第２試薬分注部を使用するように設定された測定項目に関するトリガー試薬を収容する試薬容器を第２吸引位置に移送するように試薬テーブルを制御する制御部と、第１側面と、第１側面に隣接する第２側面と、を含む筐体と、を備える。加温テーブルは、筐体の内側であって、第１側面と第２側面の隣接部分の近傍に配置されており、第１検出ユニットは、第１側面の隣接部分に近い側に、筐体の第１側面に沿うように配置され、第２検出ユニットは、第２側面の隣接部分に近い側に、筐体の第２側面に沿うように配置され、第１検出ユニットの第１保持部は、平面視において第１側面に沿って並び、第２検出ユニットの第２保持部は、平面視において第２側面に沿って並ぶ。
【発明の効果】
【０００６】
本発明によれば、検体の処理能力を高く維持しながら、検体分析装置の設置面積の増大を抑制でき、さらに準備作業を簡素化できる。
【図面の簡単な説明】
【０００７】
【図１】図１は、実施形態に係る検体分析装置の概要構成を模式的に示す図である。
【図２】図２は、実施形態に係る検体分析装置の具体的構成を示す図である。
【図３】図３（ａ）は、実施形態に係る反応容器の断面を側方から見た図である。図３（ｂ）、（ｃ）は、実施形態に係る移送部の構成を模式的に示す図である。
【図４】図４（ａ）は、実施形態に係る移送部の構成を模式的に示す図である。図４（ｂ）、（ｃ）は、それぞれ、実施形態に係る移送部の腕部付近の構成を模式的に示す図である。
【図５】図５（ａ）は、実施形態に係る反応容器収納部および反応容器供給部の構成を示す図である。図５（ｂ）は、実施形態に係る反応容器供給部の構成を示す図である。
【図６】図６は、実施形態に係る試薬分注部、試薬テーブル、支持部、およびベースの構成を模式的に示す図である。
【図７】図７は、実施形態に係る加温テーブル付近の構成を模式的に示す図である。
【図８】図８（ａ）は、実施形態に係る光照射ユニットの構成を模式的に示す図である。図８（ｂ）は、フィルタ部を光入射側から見た図である。
【図９】図９（ａ）は、実施形態に係る検出部をＹ−Ｚ平面に平行な平面で切断した断面図である。図９（ｂ）は、実施形態に係る検出部をＸ−Ｚ平面に平行な平面で切断した断面図である。
【図１０】図１０（ａ）は、実施形態に係る筐体の構成を模式的に示す斜視図である。図１０（ｂ）は、実施形態に係る筐体の構成を上方から見た模式図である。
【図１１】図１１は、実施形態に係る測定部の回路構成を示すブロック図である。
【図１２】図１２（ａ）は、実施形態に係る情報処理装置の構成を示すブロック図である。図１２（ｂ）は、実施形態に係る関連情報を示す概念図である。
【図１３】図１３（ａ）、（ｂ）は、実施形態に係る第１吸引モードの場合の検体および反応容器の移送経路を示す図である。
【図１４】図１４（ａ）、（ｂ）は、実施形態に係る第２吸引モードの場合の検体および反応容器の移送経路を示す図である。
【図１５】図１５（ａ）、（ｂ）は、実施形態に係る検体および反応容器の移送経路を示す図である。
【図１６】図１６は、実施形態に係る情報処理装置による処理を示すフローチャートである。
【図１７】図１７は、実施形態に係る測定部による処理を示すフローチャートである。
【図１８】図１８は、実施形態に係る測定部による測定処理を示すフローチャートである。
【図１９】図１９は、実施形態に係る測定部による測定処理を示すフローチャートである。
【図２０】図２０は、実施形態に係る測定部による測定処理を示すフローチャートである。
【図２１】図２１（ａ）は、実施形態に係る情報処理装置による試薬の分注に用いる試薬分注部と測定項目とを関連付ける関連情報の設定を受け付けるための処理を示すフローチャートである。図２１（ｂ）は、実施形態に係る測定項目ごとに使用する試薬分注部の設定を受け付ける受付部の構成を示す図である。
【発明を実施するための形態】
【０００８】
実施形態の検体分析装置は、検体に試薬を添加することで調製された測定試料に光を照射し、得られた透過光または散乱光を、凝固法、合成基質法、免疫比濁法または凝集法によって解析することにより、血液の凝固能に関する分析を行う血液凝固分析装置である。実施形態で分析される検体は、血液から分離された血漿または血清である。
【０００９】
図１を参照して、実施形態の検体分析装置の概要を説明する。図１において、ＸＹＺ軸は互いに直交しており、Ｘ軸正方向は左方向に対応し、Ｙ軸正方向は後ろ方向に対応し、Ｚ軸正方向は鉛直下方向に対応する。なお、他の図においても、ＸＹＺ軸は図１と同様に設定されている。
【００１０】
検体分析装置１０は、加温テーブル１１と、第１試薬分注部１２と、第２試薬分注部１３と、第１検出ユニット１４と、第２検出ユニット１５と、第１移送部１６と、第２移送部１７と、第１廃棄用移送部１８と、第２廃棄用移送部１９と、第１検体移送部２０と、第２検体移送部２１と、検体分注ユニット２２と、試薬テーブル２３と、廃棄ユニット２４と、搬送部２５と、制御部２６と、を備える。第１移送部１６、第２移送部１７、第１廃棄用移送部１８および第２廃棄用移送部１９は、反応容器３３を把持するためのキャッチャと、キャッチャを駆動する機構とを備える。
【００１１】
搬送部２５は、検体容器３２を保持した検体ラック３１を搬送する。検体分注ユニット２２は、検体容器３２が収容する検体を吸引し、吸引した検体を反応容器３３に吐出する。第１検体移送部２０と第２検体移送部２１は、検体が分注された反応容器３３を加温テーブル１１へと移送する。
【００１２】
加温テーブル１１は、保持孔１１ａと、ヒーター１１ｂと、を備える。保持孔１１ａは、第１検体移送部２０または第２検体移送部２１によって移送された反応容器３３を保持する。ヒーター１１ｂは、保持孔１１ａに保持された反応容器３３を３７℃に加温する。反応容器３３が加温テーブル１１によって加温される時間は、第１検出ユニット１４と第２検出ユニット１５において正確な測定結果を得るために、測定項目ごとに決められている。測定項目ＰＴにおいて、たとえばシスメックス株式会社製のトロンボチェック（登録商標）ＰＴプラスを用いた場合、加温時間は３分である。測定項目ＡＰＴＴにおいて、たとえばシスメックス株式会社製のトロンボチェック（登録商標）ＡＰＴＴを用いた場合、加温時間は３分である。測定項目Ｄダイマーにおいて、たとえばシスメックス株式会社製のリアスオート（登録商標）・Ｄダイマーネオを用いた場合、加温時間は３分である。
【００１３】
第１試薬分注部１２は、試薬テーブル２３に保持された試薬容器３４から試薬を吸引し、吸引した試薬を加温し、加温した試薬を第１移送部１６によって加温テーブル１１から第１検出ユニット１４の第１保持部１４ａに反応容器３３が移送される所定の位置で反応容器３３に吐出する。第２試薬分注部１３は、試薬テーブル２３に保持された試薬容器３４から試薬を吸引し、吸引した試薬を加温し、加温した試薬を第２移送部１７によって加温テーブル１１から第２検出ユニット１５の第２保持部１５ａに反応容器３３が移送される所定の位置で反応容器３３に吐出する。反応容器３３に吐出される試薬の量および温度は、正しい測定結果を取得するためには厳密である必要がある。
【００１４】
測定項目に基づいて、加温テーブル１１で加温される反応容器３３にも試薬を分注する必要がある場合、さらに、第１試薬分注部１２と第２試薬分注部１３は、試薬テーブル２３に保持された試薬容器３４から対応する試薬を吸引し、吸引した試薬を加温し、加温した試薬を加温テーブル１１で加温される反応容器３３に分注する。
【００１５】
第１検出ユニット１４は、複数の第１保持部１４ａと、複数の第１保持部１４ａにそれぞれ対応して設けられた複数の第１検出部１４ｂと、を有する。第２検出ユニット１５は、複数の第２保持部１５ａと、複数の第２保持部１５ａにそれぞれ対応して設けられた複数の第２検出部１５ｂと、を有する。
【００１６】
第１保持部１４ａと第２保持部１５ａは、互いに同様の構成であり、また、第１検出部１４ｂと第２検出部１５ｂは、互いに同様の構成である。第１検出部１４ｂは、第１保持部１４ａに保持された反応容器３３中の測定試料から分析のための信号を検出する。第２検出部１５ｂは、第２保持部１５ａに保持された反応容器３３中の測定試料から分析のための信号を検出する。
【００１７】
第１検出部１４ｂおよび第２検出部１５ｂは、それぞれ、第１保持部１４ａおよび第２保持部１５ａに保持された反応容器３３の側面に光を照射し、その透過光または散乱光を光検出器で受光して受光光量に応じた検出信号を出力する。検出信号は、制御部２６の第２制御部２６ｂに出力される。第１検出部１４ｂおよび第２検出部１５ｂは、それぞれ、反応容器３３に対して、数種の波長の光を時分割で照射し、各波長の光に対する検出信号を第２制御部２６ｂに出力する。第１検出部１４ｂと第２検出部１５ｂは、いずれも、検体分析装置１０で行われる全ての測定項目について測定できるように構成されている。なお、反応容器３３中の測定試料で起こる反応の変化は検体によって異なるため、検体によって測定が完了するまでに必要な時間も異なる。
【００１８】
第１移送部１６は、加温テーブル１１の保持孔１１ａに保持された反応容器３３を、複数の第１保持部１４ａのいずれか１つに移送する。第２移送部１７は、加温テーブル１１の保持孔１１ａに保持された反応容器３３を、複数の第２保持部１５ａのいずれか１つに移送する。
【００１９】
第１検出ユニット１４と第２検出ユニット１５において、測定が終了した反応容器３３は、随時、それぞれ第１廃棄用移送部１８と第２廃棄用移送部１９によって廃棄される。第１廃棄用移送部１８は、第１保持部１４ａに保持された廃棄対象の反応容器３３を、廃棄ユニット２４に移送する。第２廃棄用移送部１９は、第２保持部１５ａに保持された廃棄対象の反応容器３３を、廃棄ユニット２４に移送する。第１廃棄用移送部１８と第２廃棄用移送部１９により、第１検出ユニット１４と第２検出ユニット１５にある廃棄対象の反応容器３３を、並行して廃棄ユニット２４へ移送できる。
【００２０】
第１検体移送部２０および第２検体移送部２１は、上記のように検体分注ユニット２２により検体が分注された反応容器３３を加温テーブル１１へと移送する。検体分注ユニット２２は、搬送部２５の搬送経路の所定位置において、検体容器３２から検体を吸引し、吸引した検体を反応容器３３に分注する。試薬テーブル２３は、試薬を収容した複数の試薬容器３４を設置し、設置された各試薬容器３４を第１吸引位置２３ａと第２吸引位置２３ｂに移送する。廃棄ユニット２４は、廃棄口を備える。第１廃棄用移送部１８および第２廃棄用移送部１９によって移送される測定済みの反応容器３３が、廃棄ユニット２４の廃棄口に投下される。
【００２１】
制御部２６は、第１制御部２６ａと、第２制御部２６ｂと、記憶部２６ｃと、を備える。第１制御部２６ａは、検体分析装置１０において測定試料を測定するための機構を制御する。第２制御部２６ｂは、第１検出部１４ｂにより検出された信号に基づいて、第１保持部１４ａに保持された反応容器３３中の検体を分析し、第２検出部１５ｂにより検出された信号に基づいて、第２保持部１５ａに保持された反応容器３３中の検体の分析を行う。
【００２２】
上記のように第１検出部１４ｂおよび第２検出部１５ｂは、数種の波長の光をそれぞれ照射したときに測定試料から得られた検出信号を第２制御部２６ｂに出力する。第２制御部２６ｂは、取得した波長ごとの検出信号に基づいて、凝固法、合成基質法、免疫比濁法または凝集法に基づき検体の分析を行う。
【００２３】
たとえば、凝固時間法では、測定試料に６６０ｎｍの波長の光が照射され、測定試料からの透過光または散乱光を光検出器で検出することによって、フィブリノーゲンがフィブリンに転化する時間が分析される。凝固時間法の測定項目としては、ＰＴ（プロトロンビン時間）、ＡＰＴＴ（活性化部分トロンボプラスチン時間）やＦｂｇ（フィブリノーゲン量）などがある。また、合成基質法では、測定試料に４０５ｎｍの波長の光が照射され、測定試料からの透過光または散乱光が光検出器で検出される。合成基質法の測定項目としては、ＡＴＩＩＩ、α２−ＰＩ（α２−プラスミンインヒビター）、ＰＬＧ（プラスミノーゲン）などがある。また、免疫比濁法では、８００ｎｍの波長の光が測定試料に照射され、測定試料からの透過光または散乱光が光検出器で検出される。免疫比濁法の測定項目としては、Ｄダイマー、ＦＤＰなどがある。また、血小板凝集法では、測定試料に５７５ｎｍの波長の光が照射され、測定試料からの透過光または散乱光が光検出器で検出される。
【００２４】
たとえば、第２制御部２６ｂは、第１検出部１４ｂおよび第２検出部１５ｂから出力された検出信号に基づいて、測定試料の吸光度を算出し、算出した吸光度が所定の閾値を超えるまでの時間を当該測定試料の凝固時間として算出する。吸光度に代えて、検出信号から濁度を求め、濁度が所定の閾値を超えるまでの時間を当該検体の凝固時間として算出してもよい。また、第１検出部１４ｂおよび第２検出部１５ｂから出力された検出信号が所定の閾値を超えるまでの時間を当該測定試料の凝固時間として算出してもよい。
【００２５】
第１制御部２６ａは、第１試薬分注部１２を使用するように設定された測定項目に関する試薬を収容する試薬容器３４を第１吸引位置２３ａに移送し、第２試薬分注部１３を使用するように設定された測定項目に関する試薬を収容する試薬容器３４を第２吸引位置２３ｂに移送するように、試薬テーブル２３を制御する。測定項目と使用する試薬分注部とを関連付ける関連情報が、制御部２６の記憶部２６ｃにあらかじめ記憶されている。第１制御部２６ａは、測定項目に従って測定を行う際に、記憶部２６ｃに記憶された関連情報に基づいて使用する試薬分注部を決定する。
【００２６】
第１試薬分注部１２は、第１吸引位置２３ａに移送された試薬容器３４から、反応容器３３に収容された検体の測定項目に対応する試薬を吸引し、吸引した試薬を反応容器３３に分注する。第２試薬分注部１３は、第２吸引位置２３ｂに移送された試薬容器３４から、反応容器３３に収容された検体の測定項目に対応する試薬を吸引し、吸引した試薬を反応容器３３に分注する。
【００２７】
たとえば、上記凝固時間法に基づく測定項目ＡＰＴＴについて測定を行う場合、第１試薬分注部１２と第２試薬分注部１３は、リン脂質および活性化剤を含む第１試薬を収容する試薬容器３４から当該第１試薬を吸引し、吸引した第１試薬を、加温テーブル１１で加温される反応容器３３に分注する。こうして、第１試薬が検体に混合される。その後、反応容器３３が加温テーブル１１から第１検出ユニット１４または第２検出ユニット１５へと移送される際に、第１試薬分注部１２と第２試薬分注部１３は、カルシウム塩を含む第２試薬を収容する他の試薬容器３４から当該第２試薬を吸引し、吸引した第２試薬を、この反応容器３３に分注する。こうして、第２試薬が検体に混合される。
【００２８】
また、上記凝固時間法に基づく測定項目ＰＴについて測定を行う場合、第１試薬分注部１２と第２試薬分注部１３は、組織因子およびカルシウム塩を含む試薬を含む試薬容器３４から当該試薬を吸引し、吸引した試薬を、加温テーブル１１から第１検出ユニット１４または第２検出ユニット１５へと移送される反応容器３３に分注する。こうして、組織因子およびカルシウム塩を含む試薬が検体に混合される。
【００２９】
第１検出ユニット１４と第２検出ユニット１５は、こうして、測定項目ＡＰＴＴまたは測定項目ＰＴに対応する試薬が混合された測定試料から上記のように検出信号を取得して、第２制御部２６ｂに出力する。第２制御部２６ｂは、上記のように、第１検出ユニット１４と第２検出ユニット１５から供給される検出信号に基づき、当該検体について、フィブリノーゲンがフィブリンに転化する時間を分析し、分析結果を取得する。
【００３０】
凝固時間法に基づく分析では、測定試料の凝固を待つ必要があるため、測定に時間を要する。一般に、凝固時間法に基づく分析では、第１保持部１４ａまたは第２保持部１５ａに数分程度、反応容器３３を保持させて、第１検出部１４ｂまたは第２検出部１５ｂによる検出を継続する必要がある。このため、第１検出ユニット１４と第２検出ユニット１５に反応容器３３が滞留しやすくなる。
【００３１】
また、加温テーブル１１においても、測定試料が所定の温度に上昇するのを待つ必要があるため、加温に時間を要する。一般に、加温テーブル１１では、測定試料の加温が完了するまでに数分程度、反応容器３３を加温テーブル１１の保持孔１１ａに保持させ続ける必要がある。このため、加温テーブル１１に反応容器３３が滞留しやすくなる。
【００３２】
実施形態の検体分析装置１０では、第１試薬分注部１２と第２試薬分注部１３により反応容器３３への試薬の分注が行われ、第１検出ユニット１４と第２検出ユニット１５により反応容器３３中の測定試料の測定が行われる。これにより、１つの試薬分注部と１つの検出ユニットが用いられる場合に比べて、検体分析装置１０の処理能力を向上させ得る。
【００３３】
反応容器３３が加温テーブル１１によって加温される時間は、第１検出ユニット１４および第２検出ユニット１５において正確な測定結果を得るために、測定項目ごとに決められている。測定項目に応じて正確に反応容器３３を加温するためには、タイミングよく加温テーブル１１の保持孔１１ａから反応容器３３を移送する必要がある。検体分析装置１０によれば、加温テーブル１１から反応容器３３を移送するために、複数の移送部、すなわち第１移送部１６と第２移送部１７が設けられているため、加温テーブル１１からタイミングよく反応容器３３を移送できる。これにより、正確な加温時間の実現が容易になる。
【００３４】
また、特に凝固時間法、免疫比濁法および血小板凝集法では、測定試料中で起こる反応の変化が検出されるため、検体によって測定が完了するまでの時間が異なる。このため、第１保持部１４ａおよび第２保持部１５ａにおいて、反応容器３３をどの程度の時間だけ保持させておく必要があるのか正確に予想することは困難である。したがって、どのような検体であっても略測定が完了する時間だけ、反応容器３３が保持部に保持されることになり、反応容器３３が第１検出ユニット１４および第２検出ユニット１５に滞留しやすくなる。しかしながら、検体分析装置１０によれば、第１検出ユニット１４および第２検出ユニット１５へ反応容器３３を移送するために、複数の移送部、すなわち第１移送部１６と第２移送部１７が設けられているため、開放された第１保持部１４ａおよび第２保持部１５ａに反応容器３３を迅速に移送できる。これにより、検体分析装置１０の処理能力を向上できる。
【００３５】
第１検出部１４ｂと第２検出部１５ｂは、いずれも、検体分析装置１０で行われる全ての測定項目について測定できるように構成されている。これにより、測定項目にかかわらず、第１検出ユニット１４および第２検出ユニット１５は、それぞれ反応容器３３を受け入れることができるため、検体分析装置１０の処理能力を向上できる。
【００３６】
試薬テーブル２３は、第１試薬分注部１２と第２試薬分注部１３に対して共通となっているため、第１試薬分注部１２と第２試薬分注部１３ごとに個別に試薬テーブルを配置する場合に比べて、各部のレイアウトを集約できる。また、加温テーブル１１は、第１移送部１６および第２移送部１７に対して共通となっているため、第１移送部１６および第２移送部１７ごとに個別に加温テーブルを配置する場合に比べて、各部のレイアウトを集約できる。よって、検体分析装置１０の設置面積の増大を抑制できる。
【００３７】
第１試薬分注部１２を使用するように設定された測定項目に関する試薬が、第１試薬分注部１２により反応容器３３に分注され、この反応容器３３が第１検出ユニット１４に移送される。第２試薬分注部１３を使用するように設定された測定項目に関する試薬が、第２試薬分注部１３により反応容器３３に分注され、この反応容器３３が第２検出ユニット１５に移送される。すなわち、測定項目ごとに使用する試薬分注部および検出ユニットが分けられている。これにより、同一測定項目の場合、試薬の分注が同一の試薬分注部によって行われるため、反応容器３３に吐出する試薬の量および温度が同程度となる。このため、同一測定項目に対して同程度の精度の測定結果が得られる。これにより、同一測定項目について、試薬分注部および検出ユニットごとに準備作業を行う必要がなくなる。よって、準備に必要な試薬の消費を抑制でき、準備動作を簡略化できる。
【００３８】
第１移送部１６および第２移送部１７により、並行して、反応容器３３が加温テーブル１１から第１検出ユニット１４と第２検出ユニット１５に移送される。このため、加温テーブル１１から第１検出ユニット１４と第２検出ユニット１５へと移送されるべき反応容器３３が移送待ちの状態となることを回避でき、加温テーブル１１の保持孔１１ａを、次の反応容器３３の受け入れのために、速やかに開放させ得る。よって、検体分析装置１０の処理能力を向上させ得る。
【００３９】
第１廃棄用移送部１８と第２廃棄用移送部１９により、第１検出ユニット１４と第２検出ユニット１５にある廃棄対象の反応容器３３を、並行して廃棄ユニット２４へ移送できる。このため、第１検出ユニット１４と第２検出ユニット１５に廃棄待ちの反応容器３３が残ることを回避でき、第１検出ユニット１４と第２検出ユニット１５に対する反応容器３３の移送を円滑に進め得る。よって、検体分析装置１０の処理能力を向上させ得る。
【００４０】
第１検体移送部２０および第２検体移送部２１により、並行して、検体が分注された反応容器３３が加温テーブル１１へと移送される。このため、検体容器３２から検体を分注した反応容器３３を効率的に加温テーブル１１へと移送できる。よって、検体分析装置１０の処理能力を向上させ得る。
【００４１】
試薬を分注する試薬分注部は、第１試薬分注部１２と第２試薬分注部１３の２つに限らず、３つ以上でも良い。この場合、複数の試薬分注部にそれぞれ対応するように、検出ユニットと、検出ユニットに反応容器３３を移送する移送部と、検出ユニットから反応容器３３を廃棄させるための移送部と、が設けられても良い。検体分注ユニット２２により検体が分注された反応容器３３を加温テーブル１１へと移送する移送部は、第１検体移送部２０と第２検体移送部２１の２つに限らず、３つ以上でも良い。
【００４２】
＜具体的構成例＞
以下、実施形態の検体分析装置の具体的な構成について説明する。
【００４３】
以下の構成例では、加温テーブルから検出ユニットに反応容器を移送する移送部が、検出ユニットから廃棄ユニットに反応容器を移送する移送部に共用されている。便宜上、以下では、加温テーブルから検出ユニットに移送される際に反応容器に分注される試薬を「トリガー試薬」と称し、加温テーブルで加温される際に反応容器に分注される試薬を「調整試薬」と称する。トリガー試薬は、検体に対して反応を開始させるための試薬であり、調整試薬は、トリガー試薬による反応を促すための試薬である。
【００４４】
図２に示すように、検体分析装置１００は、測定部１０１と、搬送部１０２、情報処理装置１０３と、を備える。
【００４５】
搬送部１０２は、図１の搬送部２５に対応する。搬送部１０２は、ラックセット部１１１と、ラック搬送部１１２と、ラック回収部１１３と、バーコードリーダ１１４と、を備える。ラックセット部１１１とラック回収部１１３は、それぞれ、ラック搬送部１１２の右端および左端に繋がっている。バーコードリーダ１１４は、ラック搬送部１１２の後方にあり、左右方向に移動可能に構成されている。
【００４６】
ユーザは、検体容器３２をセットした検体ラック３１を、ラックセット部１１１に設置する。検体ラック３１と検体容器３２にはバーコードが貼付されている。搬送部１０２は、ラックセット部１１１に設置された検体ラック３１をラック搬送部１１２の右端に送り、さらに、バーコードリーダ１１４の前方へと送る。バーコードリーダ１１４は、検体ラック３１に貼付されたバーコードを読み取り、さらに、検体容器３２に貼付されたバーコードを読み取る。検体ラック３１のバーコードには、検体ラック３１を識別するための識別情報が保持され、検体容器３２のバーコードには、検体容器３２に収容された検体を識別するための識別情報が保持されている。読み取られた識別情報は、検体に対する測定項目の取得のために、情報処理装置１０３に送信される。
【００４７】
その後、搬送部１０２は、検体ラック３１を搬送して、検体容器３２を順次、検体吸引位置１２１または検体吸引位置１２２に位置付ける。検体吸引位置１２１、１２２において検体容器３２から検体が吸引される。搬送部１０２は、検体ラック３１に保持された全ての検体容器３２に対する検体の吸引が終了すると、検体ラック３１をラック回収部１１３へと搬送する。
【００４８】
測定部１０１は、検体吸引位置１２１、１２２において検体容器３２から検体を吸引し、吸引した検体に試薬を混合して測定を行う。
【００４９】
測定部１０１は、検体分注部１３０、１４０と、移送部１５０、１６０と、加温テーブル１７０と、試薬テーブル１８０と、反応容器テーブル１９０と、バーコードリーダ２００と、反応容器収納部２１０と、反応容器供給部２２０と、移送部２３０と、試薬分注部２４０、２５０と、移送部２６０、２７０と、検出ユニット２８０、２９０と、廃棄口３０１、３０２と、廃棄ユニット３０３と、を備える。
【００５０】
検体分注部１３０、１４０は、それぞれ、図１の検体分注ユニット２２を構成する。検体分注部１３０は、ピペット１３１と、ピペット１３１が端部に設けられ旋回可能なアーム１３２と、アーム１３２を駆動するための図示しない駆動部と、ピペット１３１を介して検体を吸引および吐出するための図示しないポンプと、を備える。同様に、検体分注部１４０は、ピペット１４１と、ピペット１４１が端部に設けられ旋回可能なアーム１４２と、アーム１４２を駆動するための図示しない駆動部と、ピペット１４１を介して検体を吸引および吐出するための図示しないポンプと、を備える。
【００５１】
検体分注部１３０は、検体吸引位置１２１に位置付けられた検体容器３２から検体を吸引し、吸引した検体を、反応容器テーブル１９０に保持された新しい反応容器３３に吐出する。検体分注部１４０は、検体吸引位置１２２に位置付けられた検体容器３２または反応容器テーブル１９０に保持された反応容器３３から検体を吸引し、吸引した検体を移送部１５０、１６０に保持された新しい反応容器３３に吐出する。
【００５２】
移送部１５０、１６０は、それぞれ、図１の第１検体移送部２０と第２検体移送部２１に対応する。移送部１５０、１６０は、レールに沿って前後方向に移動可能に構成されている。移送部１５０、１６０には、反応容器３３を保持するための保持孔が設けられている。
【００５３】
移送部１５０は、新しい反応容器３３を保持孔に保持して、この反応容器３３を第１検体吐出位置１５１に位置付ける。後述のように、移送部１５０に対する新しい反応容器３３のセットは、移送部２３０が行う。第１検体吐出位置１５１に位置付けられた反応容器３３に検体分注部１４０によって検体が吐出されると、移送部１５０は、この反応容器３３を後方に移送し、加温テーブル１７０の左側近傍に位置付ける。加温テーブル１７０の移送部１７３は、加温テーブル１７０の左側近傍に位置付けられた反応容器３３を、加温テーブル１７０の保持孔１７１に移送する。
【００５４】
同様に、移送部１６０は、新しい反応容器３３を保持孔に保持して、この反応容器３３を第２検体吐出位置１６１に位置付ける。後述のように、移送部１６０に対する新しい反応容器３３のセットは、移送部２６０が行う。第２検体吐出位置１６１に位置付けられた反応容器３３に検体分注部１４０によって検体が吐出されると、移送部１６０は、この反応容器３３を後方へ移送し、加温テーブル１７０の右側近傍に位置付ける。移送部２７０は、加温テーブル１７０の右側近傍に位置付けられた反応容器３３を、加温テーブル１７０の保持孔１７１に移送する。
【００５５】
このように、移送部１５０、１６０により加温テーブル１７０へ反応容器３３を移送できるため、移送部１５０、１６０の何れか一方により加温テーブル１７０へ反応容器３３を移送する場合に比べて、処理能力を向上できる。
【００５６】
図３（ａ）に示すように、反応容器３３は、キュベットである。反応容器３３は、上方に開口を有する円周状の胴部３３ａと、胴部３３ａの上部に設けられた鍔部３３ｂと、を備える。胴部３３ａは、上部よりも下部が小径となっている。
【００５７】
図３（ｂ）に示すように、移送部１５０は、反応容器３３を保持するための２つの保持孔１５２ａを有するホルダ１５２と、ホルダ１５２を案内するレール１５３と、ホルダ１５２に接続されたベルト１５４と、ベルト１５４を駆動するモータ１５５とを備えている。図３（ｂ）では、便宜上、ホルダ１５２が断面図で示されている。保持孔１５２ａは、反応容器３３の下部が嵌り込む径を有する。レール１５３は、反応容器３３の移送方向に沿って設けられている。ベルト１５４は、レール１５３に平行に配置されている。ベルト１５４は、モータ１５５の駆動軸とプーリーに架けられている。ホルダ１５２の下端がベルト１５４に装着されている。モータ１５５によってベルト１５４が駆動されることにより、ホルダ１５２がレール１５３に案内されて移送される。これにより、反応容器３３が移送される。
【００５８】
図３（ｃ）に示すように、移送部１６０も、移送部１５０と同様の構成となっている。移送部１６０は、反応容器３３を保持するための２つの保持孔１６２ａを有するホルダ１６２と、ホルダ１６２を案内するレール１６３と、ホルダ１６２に接続されたベルト１６４と、ベルト１６４を駆動するモータ１６５とを備えている。図３（ｃ）では、便宜上、ホルダ１６２が断面図で示されている。
【００５９】
図２に戻り、加温テーブル１７０は、検体を収容した複数の反応容器３３をそれぞれ保持するための複数の保持孔１７１と、複数の保持孔１７１にそれぞれ保持された複数の反応容器３３を加温するヒーター１７２と、反応容器３３を移送するための移送部１７３と、を有する。加温テーブル１７０、保持孔１７１およびヒーター１７２は、それぞれ、図１の加温テーブル１１、保持孔１１ａおよびヒーター１１ｂに対応する。
【００６０】
加温テーブル１７０は、平面視において円形の輪郭を有し、周方向に回転可能に構成されている。加温テーブル１７０が周方向に回転すると、複数の保持孔１７１は、周方向に移送される。ヒーター１７２は、保持孔１７１に保持される反応容器３３を３７℃に加温する。移送部１７３は、加温テーブル１７０の周方向に回転可能に構成されている。
【００６１】
試薬テーブル１８０は、図１の試薬テーブル２３に対応する。試薬テーブル１８０は、試薬を収容した試薬容器３４を複数設置可能に構成されている。試薬テーブル１８０には、１０個の試薬容器３４を収納可能な試薬ラック１８１が外周側に３個セットされ、２個の試薬容器３４を収納可能な試薬ラック１８２が内周側に４個セットされる。試薬テーブル１８０は周方向に回転可能に構成されている。試薬ラック１８１、１８２を介して試薬テーブル１８０に設置された試薬容器３４は、試薬テーブル１８０が周方向に回転することにより、試薬分注部２４０により試薬の吸引が行われる第１吸引位置２４１と、試薬分注部２５０により試薬の吸引が行われる第２吸引位置２５１とに移送される。
【００６２】
試薬テーブル１８０の下方には、図１１に示すように冷却装置１０１ｃが設置されている。冷却装置１０１ｃは、試薬テーブル１８０に保持された試薬容器３４を所定の温度に冷却する。冷却装置１０１ｃは、たとえばペルチェ素子により構成される。
【００６３】
試薬分注部２４０、２５０は、それぞれ、図１の第１試薬分注部１２と第２試薬分注部１３に対応する。試薬分注部２４０、２５０は、加温テーブル１７０で加温された複数の反応容器３３に試薬を分注する。
【００６４】
たとえば、調整試薬を反応容器３３に分注する場合、加温テーブル１７０の移送部１７３が、加温テーブル１７０の保持孔１７１に保持された反応容器３３を、第１吐出位置２６１または第２吐出位置２７１に位置付ける。試薬分注部２４０または試薬分注部２５０は、第１吸引位置２４１または第２吸引位置２５１に位置付けられた試薬容器３４から調整試薬を吸引し、吸引した調整試薬を加温し、加温した調整試薬を第１吐出位置２６１または第２吐出位置２７１に位置付けられた反応容器３３に分注する。こうして、検体に調整試薬が混合される。その後、移送部１７３が、反応容器３３を加温テーブル１７０の保持孔１７１に再びセットする。
【００６５】
また、トリガー試薬を反応容器３３に分注する場合、移送部２６０または移送部２７０が、加温テーブル１７０の保持孔１７１に保持された反応容器３３を、第１吐出位置２６１または第２吐出位置２７１に位置付ける。試薬分注部２４０または試薬分注部２５０は、第１吸引位置２４１または第２吸引位置２５１に位置付けられた試薬容器３４からトリガー試薬を吸引し、吸引したトリガー試薬を加温し、加温したトリガー試薬を第１吐出位置２６１または第２吐出位置２７１に位置付けられた反応容器３３に分注する。こうして、検体にトリガー試薬が混合される。その後、移送部２６０または移送部２７０が、反応容器３３を検出ユニット２８０の保持部２８１または検出ユニット２９０の保持部２９１にセットする。
【００６６】
このように、検体に設定された測定項目に応じて、トリガー試薬のみが反応容器３３に吐出される場合と、トリガー試薬とともに調整試薬が反応容器３３に吐出される場合がある。トリガー試薬が反応容器３３に吐出される場合、移送部２６０が反応容器３３を把持して第１吐出位置２６１に位置付け、あるいは、移送部２７０が反応容器３３を把持して第２吐出位置２７１に位置付ける。トリガー試薬が吐出されると、反応容器３３は、移送部２６０、２７０により、それぞれ検出ユニット２８０、２９０に移送される。調整試薬を反応容器３３に吐出する場合、移送部１７３が反応容器３３を把持して第１吐出位置２６１または第２吐出位置２７１に位置付ける。調整試薬が吐出されると、移送部１７３は、反応容器３３を、加温テーブル１７０の保持孔１７１に戻す。
【００６７】
移送部２６０、２７０は、それぞれ、図１の第１移送部１６と第２移送部１７に対応する。
【００６８】
図４（ａ）に示すように、移送部２６０は、支持部材２６２と、支持部材２６２を案内するレール２６３と、支持部材２６２に接続されたベルト２６４と、ベルト２６４を駆動するモータ２６５とを備えている。レール２６３は、Ｘ軸方向に沿って設けられている。ベルト２６４は、レール２６３に平行に配置されている。ベルト２６４は、モータ２６５の駆動軸とプーリーに架けられている。支持部材２６２の端部がベルト２６４に装着されている。モータ２６５によってベルト２６４が駆動されることにより、支持部材２６２がレール２６３に案内されてＸ軸方向に移送される。
【００６９】
支持部材２６２には、支持部材２６６と、支持部材２６６を案内するレール２６２ａと、支持部材２６６に接続されたベルト２６２ｂと、ベルト２６２ｂを駆動するモータ２６２ｃが設置されている。レール２６２ａは、Ｚ軸方向に沿って設けられている。ベルト２６２ｂは、レール２６２ａに平行に配置されている。ベルト２６２ｂは、モータ２６２ｃの駆動軸とプーリーに架けられている。支持部材２６６の端部がベルト２６２ｂに装着されている。モータ２６２ｃによってベルト２６２ｂが駆動されることにより、支持部材２６６がレール２６２ａに案内されてＺ軸方向に移送される。
【００７０】
支持部材２６６には、支持部材２６７と、支持部材２６７を案内するレール２６６ａと、支持部材２６７に接続されたベルト２６６ｂと、ベルト２６６ｂを駆動するモータ２６６ｃが設置されている。レール２６６ａは、Ｙ軸方向に沿って設けられている。ベルト２６６ｂは、レール２６６ａに平行に配置されている。ベルト２６６ｂは、モータ２６６ｃの駆動軸とプーリーに架けられている。支持部材２６７の端部がベルト２６６ｂに装着されている。モータ２６６ｃによってベルト２６６ｂが駆動されることにより、支持部材２６７がレール２６６ａに案内されてＹ軸方向に移送される。
【００７１】
図４（ｂ）に示すように、支持部材２６７のＺ軸負側の面に、腕部２６７ａのＹ軸正側の端部が設置されている。したがって、腕部２６７ａは、支持部材２６７の移動に伴い、Ｙ軸方向に移動する。腕部２６７ａのＹ軸負側の端部には、一対の爪２６７ｂがＸ軸方向に接近および離間可能に設けられている。一対の爪２６７ｂの間にバネ２６７ｃが架けられている。これにより、一対の爪２６７ｂは、互いに接近する方向に付勢される。図４（ｂ）のように、一対の爪２６７ｂは、所定の間隔の位置で移動が規制され、この位置に位置決めされる。
【００７２】
モータ２６６ｃが駆動され、支持部材２６７がＹ軸負方向に移動されると、腕部２６７ａがＹ軸負方向に移動する。図４（ｂ）のように一対の爪２６７ｂが反応容器３３の側面に当った状態から、さらに、腕部２６７ａがＹ軸負方向に移動されると、爪２６７ｂが反応容器３３の側面を滑って、互いに離間する方向に開く。これにより、図４（ｃ）に示すように、一対の爪２６７ｂが反応容器３３を把持する。バネ２６７ｃは、一対の爪２６７ｂに、反応容器３３を把持する力を付与する。一対の爪２６７ｂは、反応容器３３を把持する把持部を構成する。
【００７３】
移送部２６０は、このように、モータ２６５、２６２ｃ、２６６ｃを駆動して、爪２６７ｂをＸ、Ｙ、Ｚ軸方向に移動させる。これにより、反応容器３３を把持および移送する。反応容器３３の把持の解除は、たとえば、反応容器３３を保持部２８１に挿入した状態で、爪２７２ｂをＹ軸正方向に移動させる。これにより、爪２６７ｂが反応容器３３の側面を滑って、反応容器３３の把持が解除される。
【００７４】
移送部２７０も移送部２６０と同様の構成である。移送部１７３は、レール２６３およびベルト２６４が、支持部材２６２を回転させる構成に変更されている。たとえば、支持部材２６２は、支軸によって回転可能に支持され、モータ２６５からの駆動力が、ギア等の伝達機構によって支持部材２６２に伝達される。移送部１７３のその他の構成は、移送部２６０と同様である。
【００７５】
移送部２６０は、トリガー試薬が反応容器３３に吐出される場合に、加温テーブル１７０の保持孔１７１に保持された反応容器３３を第１吐出位置２６１に移送し、この反応容器３３にトリガー試薬が吐出された後、この反応容器３３を検出ユニット２８０の保持部２８１に移送する。移送部２７０は、トリガー試薬が反応容器３３に吐出される場合に、加温テーブル１７０の保持孔１７１に保持された反応容器３３を第２吐出位置２７１に移送し、この反応容器３３にトリガー試薬が吐出された後、この反応容器３３を検出ユニット２９０の保持部２９１に移送する。
【００７６】
このように、試薬分注部２４０は、移送部２６０による反応容器３３の移送経路の第１吐出位置２６１でトリガー試薬を反応容器３３に分注する。試薬分注部２５０は、移送部２７０による反応容器３３の移送経路の第２吐出位置２７１でトリガー試薬を反応容器３３に分注する。これにより、トリガー試薬の分注後、速やかに反応容器３３を検出ユニット２８０、２９０に移送できる。また、トリガー試薬の分注が試薬分注部２４０、２５０により行われるため、移送部２６０、２７０によって移送される反応容器３３に対して個別にトリガー試薬を分注できる。これにより、トリガー試薬を反応容器３３に分注する待ち時間を抑制できるため、検体分析装置１００の処理効率を向上できる。
【００７７】
検出ユニット２８０は、複数の保持部２８１と、複数の保持部２８１のそれぞれに対応して設けられた複数の検出部２８２とを有する。検出ユニット２９０は、複数の保持部２９１と、複数の保持部２９１のそれぞれに対応して設けられた複数の検出部２９２とを有する。検出ユニット２８０、２９０は、それぞれ、図１の第１検出ユニット１４と第２検出ユニット１５に対応する。保持部２８１、２９１は、それぞれ、図１の第１保持部１４ａと第２保持部１５ａに対応する。検出部２８２、２９２は、それぞれ、図１の第１検出部１４ｂと第２検出部１５ｂに対応する。保持部２８１は、試薬分注部２４０により分注された試薬と検体とを含む測定試料を収容した反応容器３３を保持する。保持部２９１は、試薬分注部２５０により分注された試薬と検体とを含む測定試料を収容した反応容器３３を保持する。検出部２８２、２９２は、それぞれ保持部２８１、２９１に保持された反応容器３３中の測定試料から分析のための信号を検出する。
【００７８】
情報処理装置１０３は、制御部１０３ａを備える。制御部１０３ａは、図１の第２制御部２６ｂに対応する。制御部１０３ａは、検出部２８２により検出された信号に基づいて保持部２８１に保持された反応容器３３中の検体を分析し、検出部２９２により検出された信号に基づいて保持部２９１に保持された反応容器３３中の検体を分析する。
【００７９】
廃棄ユニット３０３は、図１の廃棄ユニット２４に対応する。廃棄ユニット３０３は、廃棄口３０１、３０２を備える。移送部２６０は、検出ユニット２８０の保持部２８１に保持され廃棄対象となった反応容器３３を廃棄口３０１に移送することにより、廃棄ユニット３０３へ移送する。移送部２７０は、検出ユニット２９０の保持部２９１に保持された廃棄対象となった反応容器３３を廃棄口３０２に移送することにより、廃棄ユニット３０３へ移送する。
【００８０】
移送部２６０は、図１の第１移送部１６の機能とともに、第１廃棄用移送部１８の機能も有する。移送部２７０は、図１の第２移送部１７の機能とともに、第２廃棄用移送部１９の機能も有する。このように、第１移送部１６と第１廃棄用移送部１８の機能が、移送部２６０により実現され、第２移送部１７と第２廃棄用移送部１９の機能が、移送部２７０により実現されると、検体分析装置１０を簡素に構成できる。
【００８１】
廃棄ユニット３０３へと繋がる廃棄口は１つであっても良い。この場合も、廃棄対象となった反応容器３３は、移送部２６０、２７０により１つの廃棄口に移送される。また、廃棄ユニットは、廃棄口３０１、３０２に対応して２つ設けられても良い。
【００８２】
反応容器テーブル１９０は、平面視においてリング形状を有し、試薬テーブル１８０の外側に配置されている。反応容器テーブル１９０は、周方向に回転可能に構成されている。反応容器テーブル１９０は、反応容器３３を保持するための複数の保持孔を有する。バーコードリーダ２００は、試薬ラック１８１、１８２に貼付されたバーコードと、試薬容器３４に貼付されたバーコードとを読み取る。試薬ラック１８１、１８２のバーコードには、試薬ラック１８１、１８２を識別するための識別情報が保持され、試薬容器３４のバーコードには、試薬容器３４を識別するための識別情報が保持されている。
【００８３】
反応容器収納部２１０は、新しい反応容器３３を収納する。反応容器供給部２２０は、反応容器収納部２１０から反応容器３３を供給する。
【００８４】
図５（ａ）に示すように、反応容器収納部２１０は、ユーザにより新しい反応容器３３を投入可能な投入口２１１を備え、投入口２１１から投入された反応容器３３を収納する。反応容器供給部２２０は、取り出し機構２２１と、ガイド２２２と、送り出し機構２２３と、を備える。取り出し機構２２１は、反応容器収納部２１０から反応容器３３を１つずつ取り出す。ガイド２２２は、反応容器３３の鍔部３３ｂの底面を支持する２つのレールにより構成される。取り出し機構２２１により取り出された反応容器３３は、ガイド２２２により鍔部３３ｂの下面を支持されながら滑り落ち、送り出し機構２２３に移送される。
【００８５】
図５（ｂ）に示すように、送り出し機構２２３は、支持台２２３ａと回転テーブル２２３ｂを備える。ガイド２２２により移送された反応容器３３は、回転テーブル２２３ｂに設けられた切欠２２３ｃによって保持される。切欠２２３ｃに保持された反応容器３３は、回転テーブル２２３ｂが回転することにより移送される。回転テーブル２２３ｂにより移送された反応容器３３は、支持台２２３ａに設けられた切欠部２２３ｄに保持される。
【００８６】
図２に戻り、移送部２３０は、反応容器供給部２２０の切欠部２２３ｄに保持された新しい反応容器３３を、移送部１５０の保持孔１５２ａと、反応容器テーブル１９０の保持孔とに移送する。また、移送部２６０は、反応容器供給部２２０の切欠部２２３ｄに保持された新しい反応容器３３を、移送部１６０の保持孔１６２ａに移送する。このように、反応容器供給部２２０により供給された新しい反応容器３３が、移送部１５０、１６０と反応容器テーブル１９０に移送される。これにより、移送部１５０、１６０と反応容器テーブル１９０に新しい反応容器３３を供給するために複数の反応容器供給部を設ける場合に比べて、検体分析装置１００の設置面積の増大を抑制できる。
【００８７】
図６に示すように、試薬分注部２４０、２５０は、試薬テーブル１８０の上方に配置された支持部２０１に支持されている。試薬テーブル１８０は、ベース２０２に設置されている。試薬分注部２４０、２５０のＸ−Ｙ平面内における位置と、試薬テーブル１８０のＸ−Ｙ平面内における位置とは、互いに一部が重なりあっている。この構成では、ベース２０２に試薬分注部２４０、２５０を設置するためのスペースを確保する必要がない。このため、試薬分注部２４０、２５０をベース２０２に配置する場合に比べて、検体分析装置１００の設置面積の増大を抑制できる。
【００８８】
試薬分注部２４０は、水平移送部２４２と、鉛直移送部２４３と、第１ピペット２４４と、第１ヒーター２４５と、第１ピペット２４４を介して試薬を吸引および吐出するための図示しないポンプと、を備える。水平移送部２４２は、鉛直移送部２４３を水平面内すなわちＸ−Ｙ平面において所定の方向に移送する。鉛直移送部２４３は、第１ピペット２４４を鉛直方向すなわちＺ軸方向に移送する。第１ヒーター２４５は、第１ピペット２４４の下端付近に設置されており、第１ピペット２４４により保持された試薬を加温する。
【００８９】
試薬を分注する場合、試薬分注部２４０は、図２に示す第１吸引位置２４１に位置付けられた試薬容器３４に第１ピペット２４４を挿入し、試薬容器３４内の試薬を吸引する。試薬分注部２４０は、第１ピペット２４４により保持した試薬を第１ヒーター２４５により所定温度に加温する。その後、試薬分注部２４０は、第１吐出位置２６１に位置付けられた反応容器３３に対して、第１ピペット２４４により保持した試薬を吐出する。
【００９０】
同様に、試薬分注部２５０は、水平移送部２５２と、鉛直移送部２５３と、第２ピペット２５４と、第２ヒーター２５５と、第２ピペット２５４を介して試薬を吸引および吐出するための図示しないポンプと、を備える。水平移送部２５２は、鉛直移送部２５３を水平面内すなわちＸ−Ｙ平面において所定の方向に移送する。鉛直移送部２５３は、第２ピペット２５４を鉛直方向すなわちＺ軸方向に移送する。第２ヒーター２５５は、第２ピペット２５４の下端付近に設置されており、第２ピペット２５４により保持された試薬を加温する。
【００９１】
試薬を分注する場合、試薬分注部２５０は、図２に示す第２吸引位置２５１に位置付けられた試薬容器３４に第２ピペット２５４を挿入し、試薬容器３４内の試薬を吸引する。試薬分注部２５０は、第２ピペット２５４により保持した試薬を第２ヒーター２５５により所定温度に加温する。その後、試薬分注部２５０は、第２吐出位置２７１に位置付けられた反応容器３３に対して、第２ピペット２５４により保持した試薬を吐出する。
【００９２】
図７に示すように、検出ユニット２８０には、領域２８０ａに、第１方向すなわちＸ軸方向に並ぶように保持部２８１が配置されている。検出ユニット２９０には、領域２９０ａに、第２方向すなわちＹ軸方向に並ぶように保持部２９１が配置されている。検出ユニット２８０の保持部２８１の列と、検出ユニット２９０の保持部２９１の列との間に、加温テーブル１７０が配置されている。このように、検出ユニット２８０、２９０と加温テーブル１７０を配置することにより、検出ユニット２８０、２９０と加温テーブル１７０をコンパクトに集約でき、検体分析装置１００の設置面積の増大を抑制できる。
【００９３】
加温テーブル１７０の保持孔１７１に保持された反応容器３３は、試薬分注部２４０により試薬が吐出される場合、第１位置１７４において、移送部１７３または移送部２６０により保持孔１７１から取り出されて、第１吐出位置２６１に位置付けられる。第１吐出位置２６１においてトリガー試薬が吐出された反応容器３３は、移送部２６０により、第１吐出位置２６１からＹ軸正方向に移送されて検出ユニット２８０に位置付けられる。その後、反応容器３３は、Ｘ軸方向に移送されて、検出ユニット２８０のいずれかの保持部２８１に移送される。移送部２６０は、反応容器３３を検出ユニット２８０の保持部２８１が並ぶ列Ｌ１の直上位置Ｐ１までＹ軸正方向に移送した後、保持部２８１に移送するまでの時間が保持部２８１の位置にかかわらず所定の時間となるよう反応容器３３を移送する。第１吐出位置２６１から直上位置Ｐ１に至るまでの、移送部２６０による移送距離をｄ１とする。
【００９４】
同様に、加温テーブル１７０の保持孔１７１に保持された反応容器３３は、試薬分注部２５０により試薬が吐出される場合、第２位置１７５において、移送部１７３または移送部２７０により保持孔１７１から取り出されて、第２吐出位置２７１に位置付けられる。第２吐出位置２７１においてトリガー試薬が吐出された反応容器３３は、第２吐出位置２７１からＸ軸負方向に移送されて検出ユニット２９０に位置付けられる。その後、反応容器３３は、Ｙ軸方向に移送されて、検出ユニット２９０のいずれかの保持部２９１に移送される。移送部２７０は、反応容器３３を検出ユニット２９０の保持部２９１が並ぶ列Ｌ２の直上位置Ｐ２までＸ軸負方向に移送した後、保持部２９１に移送するまでの時間が保持部２９１の位置にかかわらず所定の時間となるよう反応容器３３を移送する。第２吐出位置２７１から直上位置Ｐ２に至るまでの、移送部２７０による移送距離をｄ２とする。
【００９５】
ここで、移送部２６０が反応容器３３を第１吐出位置２６１から検出ユニット２８０まで移送する距離と、移送部２７０が反応容器３３を第２吐出位置２７１から検出ユニット２９０まで移送する距離とが等しい。具体的には、ｄ１＝ｄ２となるよう、第１吐出位置２６１と、第２吐出位置２７１と、検出ユニット２８０、２９０の位置が設定されている。また、検出ユニット２８０に対する直上位置Ｐ１の位置関係と検出ユニット２９０に対する直上位置Ｐ２の位置関係は、互いに等しく、保持部２８１のピッチと保持部２９１のピッチは互いに等しい。これにより、第１吐出位置２６１から検出ユニット２８０の保持部２８１までの距離と、第２吐出位置２７１からこの保持部２８１に対応する位置関係にある検出ユニット２９０の保持部２９１までの距離が等しくなる。
【００９６】
このように、試薬分注部２４０によりトリガー試薬が分注される場合と、試薬分注部２５０によりトリガー試薬が分注される場合とで、トリガー試薬が吐出される位置から検出ユニット２８０、２９０の互いに対応する保持部２８１、２９１に至るまでの移送距離が互いに等しい。これにより、検出ユニット２８０と検出ユニット２９０に対し同様の移送制御を適用しながら、検出ユニット２８０の検出部２８２において測定が行われる場合と、検出ユニット２９０の検出部２９２において測定が行われる場合とで、トリガー試薬が分注されてから検出が開始されるまでの時間を互いに等しくすることができる。これにより、検出ユニット２８０、２９０による測定結果に差が生じることを抑制できる。
【００９７】
直上位置Ｐ１は、領域２８０ａにおいて、Ｘ軸方向すなわち保持部２８１の並び方向の中央位置に配置されることが好ましい。これにより、直上位置Ｐ１と、直上位置Ｐ１から最も離れた保持部２８１との距離を抑えることができる。よって、反応容器３３を第１吐出位置２６１から各保持部２８１へと同じ時間で移送する移送時間の調整において、移送時間を短くできる。同様に、直上位置Ｐ２は、領域２９０ａにおいて、Ｙ軸方向すなわち保持部２９１の並び方向の中央位置に配置されることが好ましい。
【００９８】
移送部２６０、２７０による移送経路は直線であったが、移送部２６０、２７０による移送経路は曲線を含んでも良い。この場合、曲線および直線の移送経路に沿って移送される反応容器３３の移送距離が、移送部２６０、２７０による移送距離となる。
【００９９】
移送距離ｄ１、ｄ２は等しくなるよう設定されたが、必ずしも等しくなるよう設定されなくても良い。移送距離ｄ１、ｄ２の差によって生じる測定結果の違いが、情報処理装置１０３による分析結果に対して臨床的な違いを生じさせない程度に、移送距離ｄ１、ｄ２が設定されれば良い。
【０１００】
移送部２６０は、第１位置１７４に位置付けられた保持孔１７１に保持された反応容器３３を、保持部２８１に移送する。移送部２７０は、第１位置１７４とは異なる第２位置１７５に位置付けられた保持孔１７１に保持された反応容器３３を、保持部２９１に移送する。これにより、加温テーブル１７０に保持された反応容器３３を、移送部２６０、２７０により、異なる２つの位置から並行して、それぞれ検出ユニット２８０、２９０へと移送できる。
【０１０１】
図８（ａ）に示すように、光照射ユニット４００は、光源部４０１と、結束部材４６１、４６２と、１３本の第１光ファイバー４７１と、１３本の第２光ファイバー４７２と、を備える。光源部４０１は、光源４１０と、ミラー４２１、４２２と、集光レンズ４３１〜４３６と、モータ４４０と、光透過型のセンサ４５０と、円盤形状のフィルタ部５００と、を備える。
【０１０２】
光源４１０は、ハロゲンランプにより構成される。光源４１０は、両面から光を出射する板状のフィラメント４１１を備え、フィラメント４１１の両面からは、同じ特性の光が出射される。これにより、光源４１０から同じ特性の光が、それぞれミラー４２１、４２２に向けて出射される。ミラー４２１、４２２は、光源４１０から出射された光を反射する。
【０１０３】
集光レンズ４３１〜４３３は、ミラー４２１によって反射された光を集光する。集光レンズ４３１〜４３３により集光された光は、フィルタ部５００の光学フィルタ５１１〜５１５のいずれか１つを透過して、第１光ファイバー４７１に導かれる。集光レンズ４３４〜４３６は、ミラー４２２によって反射された光を集光する。集光レンズ４３４〜４３６により集光された光は、フィルタ部５００の光学フィルタ５１１〜５１５のいずれか１つを透過して、第２光ファイバー４７２に導かれる。フィルタ部５００は、軸５０１を中心に回転可能であり、軸５０１は、モータ４４０の回転軸に接続されている。
【０１０４】
１３本の第１光ファイバー４７１は、結束部材４６１によって束ねられ、１３本の第２光ファイバー４７２は、結束部材４６２によって束ねられている。第１光ファイバー４７１の先端は、検出ユニット２８０に接続され、第２光ファイバー４７２の先端は、検出ユニット２９０に接続されている。第１光ファイバー４７１は、光源部４０１から照射された光を検出ユニット２８０の検出部２８２に導き、第２光ファイバー４７２は、光源部４０１から照射された光を検出ユニット２９０の検出部２９２に導く。
【０１０５】
このように、検出部２８２、２９２には、１つの光源部４０１から照射された光が導かれるため、検出部２８２、２９２に基づく測定結果にはばらつきが生じにくくなる。
【０１０６】
図８（ｂ）に示すように、フィルタ部５００は、フィルタ板５１０と保持部材５２０を備える。フィルタ板５１０には、同一円周上に６つの孔５１０ａが６０度間隔で形成され、６つの孔５１０ａのうち５つに、光学フィルタ５１１〜５１５が装着されている。光学フィルタ５１１〜５１５は、それぞれ、所定の波長帯の光を透過し、その他の波長帯の光をカットするバンドパスフィルタである。光学フィルタ５１１〜５１５の透過波長帯域の中心波長は、それぞれ、３４０ｎｍ、４０５ｎｍ、５７５ｎｍ、６６０ｎｍ、８００ｎｍである。光学フィルタが装着されない孔５１０ａは、光が通過しないように塞がれている。波長６６０ｎｍの光は、血液凝固時間測定用であり、波長４０５ｎｍの光は、合成基質測定用であり、波長８００ｎｍの光は、免疫比濁測定用である。
【０１０７】
保持部材５２０は、フィルタ板５１０を光学フィルタ５１１〜５１５の両面が露出するように保持する。フィルタ板５１０は、保持部材５２０に固定されている。保持部材５２０には、同一円周上に１つのスリット５２１と５つのスリット５２２とが６０度間隔で形成されている。スリット５２１は、スリット５２２よりも、回転方向の幅が大きい。
【０１０８】
フィルタ部５００が回転すると、集光レンズ４３１〜４３３により集光された光の通路と、集光レンズ４３４〜４３６により集光された光の通路とに、光学フィルタ５１１〜５１５が順次配置される。また、フィルタ部５００が回転すると、スリット５２１、５２２がセンサ４５０の検出位置を通過する。したがって、フィルタ部５００の回転位置は、センサ４５０の検出信号により把握される。光学フィルタ５１１〜５１５のいずれか１つを透過した光は、結束部材４６１によって束ねられている第１光ファイバー４７１の端部に入射し、結束部材４６２によって束ねられている第２光ファイバー４７２の端部に入射する。
【０１０９】
フィルタ部５００は、角速度が一定となるように回転制御される。これにより、第１光ファイバー４７１と第２光ファイバー４７２には、一定の時間間隔で、異なる波長帯の光が供給される。フィルタ部５００の回転制御には、センサ４５０の検出信号のうち、スリット５２１に対応する検出信号が用いられる。具体的には、スリット５２１に対応する検出信号が周期的に検出されるよう、モータ４４０が制御される。また、第１光ファイバー４７１と第２光ファイバー４７２にどの波長帯の光が供給されているかは、センサ４５０の検出信号のうち、スリット５２２に対応する検出信号が用いられる。具体的には、スリット５２２に対応する検出信号が、スリット５２１に対応する検出信号から何番目のものであるかによって、供給される光の波長帯が識別される。測定時には、フィルタ部５００は、たとえば１０回転／秒程度の速度で回転される。
【０１１０】
こうして、光源部４０１は、血液凝固時間測定用の波長６６０ｎｍの光と、合成基質測定用の波長４０５ｎｍの光と、免疫比濁測定用の波長８００ｎｍの光と、を順番に繰り返し照射する。
【０１１１】
図９（ａ）に示すように、検出部２８２は、集光レンズ６０１と、センサ６０２と、を備える。第１光ファイバー４７１の端部４７１ａは、円形の穴２８３に差し込まれ、端部４７１ａの背面が板バネ２８４により押さえられている。これにより、端部４７１ａが穴２８３に固定される。集光レンズ６０１は、穴２８３のＹ軸正側の側面に装着されている。孔２８５は、穴２８３と保持部２８１とを連通させる。端部４７１ａから出射され、集光レンズ６０１によって集光された光は、孔２８５を通って保持部２８１に保持された反応容器３３へと導かれる。集光レンズ６０１は、第１光ファイバー４７１から出射された光を反応容器３３に照射する光照射部を構成する。
【０１１２】
孔２８６は、センサ６０２と保持部２８１とを連通させる。集光レンズ６０１から反応容器３３へと導かれた光は、反応容器３３および測定試料を透過した後、センサ６０２に導かれる。センサ６０２は、保持部２８１に保持された反応容器３３からの光を受光して、分析のための信号を出力する。検出部２８２は、光照射部の構成として、集光レンズ６０１の他に、コリメータレンズ等の他の光学素子を備えても良い。
【０１１３】
図９（ｂ）に示すように、検出部２９２は、検出部２８２と同様、集光レンズ６１１と、センサ６１２と、を備える。第２光ファイバー４７２の端部４７２ａは、円形の穴２９３に差し込まれ、端部４７２ａの背面が板バネ２９４により押さえられている。これにより、端部４７２ａが穴２９３に固定される。集光レンズ６１１は、穴２９３のＸ軸負側の側面に装着されている。孔２９５は、穴２９３と保持部２９１とを連通させる。端部４７２ａから出射され、集光レンズ６１１によって集光された光は、孔２９５を通って保持部２９１に保持された反応容器３３へと導かれる。集光レンズ６１１は、第２光ファイバー４７２から出射された光を反応容器３３に照射する光照射部を構成する。
【０１１４】
孔２９６は、センサ６１２と保持部２９１とを連通させる。集光レンズ６１１から反応容器３３へと導かれた光は、反応容器３３および測定試料を透過した後、センサ６１２に導かれる。センサ６１２は、保持部２９１に保持された反応容器３３から光を受光して、分析のための信号を出力する。検出部２９２は、光照射部の構成として、集光レンズ６１１の他に、コリメータレンズ等の他の光学素子を備えても良い。
【０１１５】
検出部２８２のセンサ６０２から出力された信号と、検出部２９２のセンサ６１２から出力された信号は、図２の情報処理装置１０３の制御部１０３ａに送信される。制御部１０３ａは、センサ６０２が出力する信号の経時変化に基づいて、保持部２８１に保持された反応容器３３中の検体を分析する。制御部１０３ａは、センサ６１２が出力する信号の経時変化に基づいて、保持部２９１に保持された反応容器３３中の検体を分析する。
【０１１６】
たとえば、凝固時間法に基づく分析において、制御部１０３ａは、センサ６０２、６１２から出力された検出信号に基づいて、測定試料の吸光度を算出し、算出した吸光度が所定の閾値を超えるまでの時間を当該測定試料の凝固時間として算出する。吸光度に代えて、検出信号から濁度を求め、濁度が所定の閾値を超えるまでの時間を当該検体の凝固時間として算出してもよい。また、センサ６０２、６１２から出力された検出信号が所定の閾値を超えるまでの時間を当該測定試料の凝固時間として算出してもよい。
【０１１７】
図９（ａ）、（ｂ）には、測定試料を透過した光を検出する場合の検出部２８２、２９２の構成を示したが、測定試料により散乱された光をセンサ６０２、６１２で受光し、散乱光に基づく検出信号に基づいて、上記各手法による分析を行ってもよい。この場合、検出部２８２において、センサ６０２と孔２８６の配置が修正され、検出部２９２において、センサ６１２と孔２９６の配置が修正される。
【０１１８】
センサ６０２、６１２が出力する信号は、全ての波長の光が測定試料に照射されることにより得られる全ての波長の光に基づく信号を含んでいる。全ての波長の光に基づく信号は、情報処理装置１０３に送信される。情報処理装置１０３の制御部１０３ａは、受信した全ての波長の光に基づく信号のうち、検体に対して設定された測定項目に対応する波長の光に基づく信号を用いて、検体の分析を行う。具体的には、制御部１０３ａは、上記５つの波長の光ごとに時系列データを生成し、生成した時系列データのうち、検体の測定項目に対応するデータを用いて検体を分析する。これにより、測定項目にかかわらず、高い処理能力を維持できる。
【０１１９】
測定試料の凝固時間は、上記のように、測定試料から得られる吸光度や濁度等の光学情報に基づいて算出される。「凝固時間」としては、活性化部分トロンボプラスチン時間、プロトロンビン時間等が挙げられる。
【０１２０】
また、凝固時間は、血液の凝固による粘度の増加等、光学情報以外の情報に基づいて測定されてもよい。凝固時間を粘度の増加に基づいて算出する場合、検出部２８２、２９２は、高周波発信コイルと、高周波受信コイルと、高周波発信コイルと高周波受信コイルとの間にある、スチールボールを収容した反応容器を設置する反応容器設置部と、反応容器設置部の両端に設けられた電磁石とを備える。反応容器内のスチールボールは、電磁石が発生する磁力によって左右に振幅運動する。この振幅運動は、粘度が増加するほど減少する。測定試料の凝固が始まると、測定試料の粘度が増加するため、スチールボールの振幅が減少する。したがって、検出部２８２、２９２は、高周波発信コイルが発信する高周波を高周波受信コイルが受信することによって、振幅の変化を検知する。情報処理装置１０３の制御部１０３ａは、検知された振幅の経時的変化に基づき、凝固時間を算出する。
【０１２１】
図１０（ａ）に示すように、検体分析装置１００は、筐体１０４、１０５を備える。筐体１０４は、移送部１６０よりもＸ軸正側に位置する測定部１０１の各部を覆っている。筐体１０４は、Ｙ軸正側に位置しＸ−Ｚ平面に略平行な第１側面１０４ａと、Ｘ軸負側に位置しＹ−Ｚ平面に略平行な第２側面１０４ｂと、Ｙ軸負側に位置しＸ−Ｚ平面に略平行な第３側面１０４ｃと、を含む。第２側面１０４ｂは、第１側面１０４ａに隣接しており、第３側面１０４ｃは、第１側面１０４ａに隣接せず、第２側面１０４ｂに隣接している。筐体１０５は、移送部１６０と、移送部２７０と、検出ユニット２９０と、を覆っている。筐体１０５は、第２側面１０４ｂの一部に掛かるようにして筐体１０４に設置されている。
【０１２２】
図１０（ｂ）に示すように、隣接部分１０４ｄにおいて、第１側面１０４ａと第２側面１０４ｂとが隣接している。隣接部分１０４ｄは、Ｚ軸方向に延びている。加温テーブル１７０は、筐体１０４の内側であって隣接部分１０４ｄの近傍に配置されている。検出ユニット２８０は、第１側面１０４ａの隣接部分１０４ｄに近い側に、第１側面１０４ａに沿うように配置されている。検出ユニット２９０は、第２側面１０４ｂの隣接部分１０４ｄに近い側に、第２側面１０４ｂ沿うように配置されている。検出ユニット２８０の複数の保持部２８１は、平面視において、第１側面１０４ａに沿って並んでいる。検出ユニット２９０の複数の保持部２９１は、平面視において、第２側面１０４ｂに沿って並んでいる。搬送部１０２は、第３側面１０４ｃに沿うように配置されている。
【０１２３】
図１０（ａ）、（ｂ）に示すように、加温テーブル１７０と検出ユニット２８０、２９０が、隣接部分１０４ｄの近傍に配置されるため、加温テーブル１７０と検出ユニット２８０、２９０を、測定部１０１内において互いに近付けて設置できる。これにより、検体分析装置１００の設置面積の増大を抑制できる。
【０１２４】
また、搬送部１０２が第３側面１０４ｃに沿うように配置され、検出ユニット２８０、２９０が第１側面１０４ａ側に配置されている。このため、検体容器３２から検体を吸引する工程が測定部１０１の前方側で行われ、測定試料の測定が行われる工程が測定部１０１の後方側で行われることになる。これにより、測定部１０１内において、検体を一方向に、すなわち前方から後方へと移送すれば良いため、測定部１０１の構成を簡素化できる。
【０１２５】
図１１に示すように、測定部１０１は、回路部の構成として、図２を参照して説明したように、バーコードリーダ１１４、２００と、検体分注部１３０、１４０と、移送部１５０、１６０と、加温テーブル１７０と、試薬テーブル１８０と、反応容器テーブル１９０と、反応容器収納部２１０と、反応容器供給部２２０と、移送部２３０と、試薬分注部２４０、２５０と、移送部２６０、２７０と、検出ユニット２８０、２９０と、光照射ユニット４００と、を備える。
【０１２６】
また、測定部１０１は、回路部の構成として、制御部１０１ａと、記憶部１０１ｂと、冷却装置１０１ｃと、を備える。制御部１０１ａは、ＣＰＵ等の演算処理装置を備え、記憶部１０１ｂに記憶されたプログラムに従って、測定部１０１内の各部および搬送部１０２を制御する。記憶部１０１ｂは、ＲＯＭ、ＲＡＭおよびハードディスク等の記憶媒体を備え、制御部１０１ａの制御に必要なプログラムおよび情報を格納する。記憶部１０１ｂは、制御の際のワーク領域としても利用される。
【０１２７】
図１２（ａ）に示すように、情報処理装置１０３は、制御部１０３ａと、記憶部１０３ｂと、表示部１０３ｃと、入力部１０３ｄとを備える。制御部１０３ａは、ＣＰＵ等の演算処理装置を備え、記憶部１０３ｂに記憶されたプログラムに従って、分析処理および情報処理装置１０３内の各部の制御を行う。記憶部１０３ｂは、ＲＯＭ、ＲＡＭおよびハードディスク等の記憶媒体を備え、制御部１０３ａの処理および制御に必要なプログラムおよび情報を格納する。記憶部１０３ｂは、処理および制御の際のワーク領域としても利用される。表示部１０３ｃは、モニタ等の表示手段を備える。入力部１０３ｄは、キーボードやマウス等の入力手段を備える。情報処理装置１０３は、たとえば、パーソナルコンピュータによって構成される。
【０１２８】
測定部１０１の制御部１０１ａは、上記のように、センサ６０２、６１２から出力された検出信号を情報処理装置１０３の制御部１０３ａに出力する。制御部１０３ａは、受信した検出信号に基づいて、測定試料を分析する。具体的には、制御部１０３ａは、受信した検出信号に基づいて、上記のように、吸光度を算出し、また、吸光度から凝固時間を算出する。制御部１０３ａは、算出した凝固時間等を、分析結果として、表示部１０３ｃに表示させる。
【０１２９】
図１２（ｂ）に示すように、測定部１０１の記憶部１０１ｂと、情報処理装置１０３の記憶部１０３ｂには、測定項目と使用する試薬分注部とを関連付ける関連情報が記憶されている。情報処理装置１０３の制御部１０３ａは、入力部１０３ｄを介してユーザから関連情報の設定を受け付けると、受け付けた関連情報を記憶部１０３ｂに記憶するとともに、測定部１０１に送信する。測定部１０１の制御部１０１ａは、情報処理装置１０３から関連情報を受信すると、受信した関連情報を記憶部１０１ｂに記憶する。
【０１３０】
このように、記憶部１０１ｂに関連情報が記憶されることにより、検体分析装置１００において、測定項目と当該測定項目の測定において使用する試薬分注部との関連付けが設定された状態になる。測定部１０１の制御部１０１ａは、測定項目に従って測定を行う際に、記憶部１０１ｂに記憶した関連情報に基づいて使用する試薬分注部を決定する。なお、記憶部１０１ｂと記憶部１０３ｂは、図１の記憶部２６ｃを構成する。
【０１３１】
次に、図１３（ａ）〜図１５（ｂ）を参照して、検体および反応容器３３の移送経路について説明する。
【０１３２】
測定部１０１により検体を吸引するモードとして、第１吸引モードと第２吸引モードがある。検体に設定された吸引モードが第１吸引モードの場合、図１３（ａ）に示すように、検体分注部１３０が、検体吸引位置１２１において検体容器３２から検体を吸引し、吸引した検体を反応容器テーブル１９０上の反応容器３３に分注する。反応容器３３が検体分注部１４０によって吸引可能な位置に反応容器テーブル１９０が回転される。反応容器テーブル１９０上の反応容器３３から検体分注部１４０が検体を吸引し、吸引した検体を移送部１５０上の第１検体吐出位置１５１にある反応容器３３に分注する。あるいは、図１３（ｂ）に示すように、反応容器テーブル１９０上の反応容器３３から検体分注部１４０が検体を吸引し、吸引した検体を移送部１６０上の第２検体吐出位置１６１にある反応容器３３に分注する。
【０１３３】
検体に設定された吸引モードが第２吸引モードの場合、図１４（ａ）に示すように、検体分注部１４０が、検体吸引位置１２２において検体容器３２から検体を吸引し、吸引した検体を移送部１５０上の第１検体吐出位置１５１にある反応容器３３に分注する。あるいは、図１４（ｂ）に示すように、検体分注部１４０が、検体吸引位置１２２において検体容器３２から検体を吸引し、吸引した検体を移送部１６０上の第２検体吐出位置１６１にある反応容器３３に分注する。
【０１３４】
検体分注部１４０により吸引された検体が、移送部１５０の反応容器３３と移送部１６０の反応容器３３の何れに分注されるかは、後述するように、検体に設定された測定項目により決められる。移送部１５０の反応容器３３に検体が吐出された場合、この反応容器３３への試薬分注および測定は、後述するように、試薬分注部２４０と検出ユニット２８０によって行われる。一方、移送部１６０の反応容器３３に検体が吐出された場合、この反応容器３３への試薬分注および測定は、後述するように、試薬分注部２５０と検出ユニット２９０によって行われる。
【０１３５】
移送部１５０の反応容器３３に検体が吐出された場合、図１５（ａ）に示すように、移送部１５０が、加温テーブル１７０付近の位置に、反応容器３３を移送する。移送された反応容器３３が移送部１７３によって加温テーブル１７０に移送され設置される。調整試薬を反応容器３３に分注する場合、移送部１７３が第１吐出位置２６１に反応容器３３を移送し、試薬分注部２４０が調整試薬を反応容器３３に分注する。
【０１３６】
加温テーブル１７０における加温が完了した後、加温テーブル１７０が回転し、反応容器３３が第１吐出位置２６１付近に移送される。移送部２６０が反応容器３３を第１吐出位置２６１に移送する。第１吐出位置２６１で、試薬分注部２４０がトリガー試薬を反応容器３３に分注する。その後、移送部２６０が反応容器３３を検出ユニット２８０の何れかの保持部２８１に移送しセットする。検出部２８２が、保持部２８１にセットされた反応容器３３に対する測定を行って、検出信号を情報処理装置１０３に出力する。測定が終了すると、移送部２６０が反応容器３３を廃棄口３０１に移送し、反応容器３３を廃棄ユニット３０３に廃棄する。
【０１３７】
移送部１６０の反応容器３３に検体が吐出された場合、図１５（ｂ）に示すように、移送部１６０が、加温テーブル１７０付近の位置に、反応容器３３を移送する。移送された反応容器３３が移送部２７０によって加温テーブル１７０に移送され設置される。調整試薬を反応容器３３に分注する場合、移送部１７３が第２吐出位置２７１に反応容器３３を移送し、試薬分注部２５０が調整試薬を反応容器３３に分注する。
【０１３８】
加温テーブル１７０における加温が完了した後、加温テーブル１７０が回転し、反応容器３３が第２吐出位置２７１付近に移送される。移送部２７０が反応容器３３を第２吐出位置２７１に移送する。第２吐出位置２７１で、試薬分注部２５０がトリガー試薬を反応容器３３に分注する。その後、移送部２７０が反応容器３３を検出ユニット２９０の何れかの保持部２９１に移送しセットする。検出部２９２が、保持部２９１にセットされた反応容器３３に対する測定を行って、検出信号を情報処理装置１０３に出力する。測定が終了すると、移送部２７０が反応容器３３を廃棄口３０２に移送し、反応容器３３を廃棄ユニット３０３に廃棄する。
【０１３９】
なお、移送部１５０により移送された後、加温テーブル１７０にセットされた反応容器３３に対して、試薬分注と測定が、試薬分注部２５０と検出ユニット２９０によって行われてもよい。また、移送部１６０により移送された後、加温テーブル１７０にセットされた反応容器３３に対して、試薬分注と測定が、試薬分注部２４０と検出ユニット２８０によって行われてもよい。
【０１４０】
図１６のフローチャートを参照して、情報処理装置１０３の処理について説明する。
【０１４１】
図１６に示すように、ステップＳ１１において、情報処理装置１０３の制御部１０３ａは、ユーザから入力部１０３ｄを介して測定開始指示を受け付けると、ステップＳ１２において、測定部１０１に測定開始指示を送信する。これにより、後述するように、測定部１０１の制御部１０１ａは、検体ラック３１と検体容器３２からバーコードを読み取り、読み取ったバーコードから、検体ラック３１の識別情報および検体容器３２の識別情報を取得する。制御部１０１ａは、識別情報を含む測定オーダの問い合わせ情報を情報処理装置１０３に送信する。
【０１４２】
ステップＳ１３において、制御部１０３ａは、測定部１０１から測定オーダの問い合わせ情報を受信すると、ステップＳ１４において、受信した測定オーダの問い合わせ情報をホストコンピュータに送信する。ホストコンピュータは、測定オーダの問い合わせ情報を受信すると、受信した情報に含まれる識別情報に基づいて検体に予め設定された測定項目を、ホストコンピュータの記憶部から読み出し、検体容器３２の識別情報と、この検体容器３２内の検体に設定された測定項目とを含む測定オーダを、情報処理装置１０３に送信する。
【０１４３】
ステップＳ１５において、制御部１０３ａは、ホストコンピュータから測定オーダを受信すると、ステップＳ１６において、受信した測定オーダを測定部１０１に送信する。これにより、後述するように、測定部１０１において、検体に設定された測定項目について当該検体の測定が行われる。ステップＳ１７において、制御部１０３ａは、測定部１０１から測定結果を受信すると、受信した測定結果を記憶部１０３ｂに記憶し、ステップＳ１８において、受信した測定結果と、検体に設定された測定項目とに基づいて、当該検体の分析を行う。ステップＳ１７で制御部１０３ａが受信する測定結果は、全ての波長の光に基づいて検出した信号を含んでいる。したがって、ステップＳ１８において、制御部１０３ａは、測定項目に応じて必要な信号のみに基づいて検体の分析を行う。制御部１０３ａは、分析結果を記憶部１０３ｂに記憶する。
【０１４４】
図１７〜２０のフローチャートを参照して、測定部１０１の処理について説明する。
【０１４５】
図１７に示すように、ステップＳ２１において、測定部１０１の制御部１０１ａは、情報処理装置１０３から測定開始指示を受信すると、ステップＳ２２において、検体ラック３１と検体容器３２からバーコードを読み取る。これにより、制御部１０１ａは、検体ラック３１の識別情報および検体容器３２の識別情報を取得する。ステップＳ２３において、制御部１０１ａは、識別情報を含む測定オーダの問い合わせ情報を情報処理装置１０３に送信することにより、測定オーダの問い合わせを行う。
【０１４６】
ステップＳ２４において、制御部１０１ａは、情報処理装置１０３から測定オーダを受信すると、ステップＳ２５において、受信した測定オーダに基づいて、対象検体について測定処理を行う。測定処理については、追って図１８〜２０を参照して説明する。ステップＳ２６において、制御部１０１ａは、測定処理によって取得された測定結果を情報処理装置１０３に送信する。ステップＳ２７において、制御部１０１ａは、検体ラック３１に保持された全ての検体について測定が終了するまで、ステップＳ２５、Ｓ２６の処理を行う。ステップＳ２８において、制御部１０１ａは、搬送部１０２に後続する検体ラック３１があるか否かを判定する。搬送部１０２に後続する検体ラック３１があると、処理がステップＳ２２に戻される。搬送部１０２に後続する検体ラック３１がないと、図１７に示す処理が終了する。
【０１４７】
図１８に示すように、ステップＳ１０１において、制御部１０１ａは、受信した対象検体の測定オーダに基づいて、対象検体を第１吸引モードと第２吸引モードのいずれの吸引モードで吸引するかを判定する。吸引モードが第１吸引モードの場合、ステップＳ１０２において、制御部１０１ａは、検体容器３２を検体吸引位置１２１に搬送する。ステップＳ１０３において、制御部１０１ａは、検体分注部１３０により、検体吸引位置１２１にある検体容器３２から２回の測定に必要な量の検体を吸引し、反応容器テーブル１９０の新しい反応容器３３に吐出する。吸引モードが第２吸引モードの場合、ステップＳ１０４において、制御部１０１ａは、検体容器３２を検体吸引位置１２２に搬送する。
【０１４８】
図１９に示すように、ステップＳ１１０において、制御部１０１ａは、受信した対象検体の測定オーダに基づいて、対象検体に試薬を分注する際に、試薬分注部２４０と試薬分注部２５０のいずれの試薬分注部を使用するかを判定する。試薬の分注に用いる試薬分注部は、あらかじめ測定項目ごとに設定されており、試薬の分注に用いる試薬分注部と測定項目とを関連付ける関連情報は、図１２（ｂ）を参照して説明したように、測定部１０１の記憶部１０１ｂに記憶されている。
【０１４９】
たとえば、図１２（ｂ）に示すように、関連情報に、測定項目がＰＴの場合には試薬分注部２４０が使用されることを示す情報と、測定項目がＡＰＴＴの場合には試薬分注部２５０が使用されることを示す情報とが含まれるとする。この場合、制御部１０１ａは、対象検体の測定項目がＰＴである場合、対象検体の試薬分注に使用する試薬分注部を試薬分注部２４０とし、対象検体の測定項目がＡＰＴＴである場合、対象検体の試薬分注に使用する試薬分注部を試薬分注部２５０とする。関連情報の設定については、追って図２１（ａ）、（ｂ）を参照して説明する。
【０１５０】
対象検体の試薬分注に使用する試薬分注部が試薬分注部２４０、２５０である場合について、それぞれ順に説明する。また、便宜上、試薬分注部により２種類の試薬が反応容器３３に吐出される場合、すなわち調整試薬とトリガー試薬が用いられる場合について説明する。
【０１５１】
対象検体の試薬分注に使用する試薬分注部が試薬分注部２４０である場合、図１９、２０のステップＳ１１１〜Ｓ１２２の処理が行われる。ステップＳ１１１において、制御部１０１ａは、検体分注部１４０により移送部１５０の新しい反応容器３３に対象検体を分注する。具体的には、対象検体の吸引モードが第１吸引モードであった場合、検体分注部１４０は、反応容器テーブル１９０の反応容器３３から対象検体を吸引して、移送部１５０の反応容器３３に吐出する。このとき、反応容器テーブル１９０の反応容器３３には、再検に必要な量の対象検体が残されている。再検が行われる場合には、この反応容器３３内の対象検体が用いられる。対象検体の吸引モードが第２吸引モードであった場合、検体分注部１４０は、検体吸引位置１２２にある検体容器３２から１回の測定に必要な量の検体を吸引し、移送部１５０の反応容器３３に吐出する。
【０１５２】
ステップＳ１１２において、制御部１０１ａは、移送部１５０により、反応容器３３を加温テーブル１７０の左側近傍まで移送する。ステップＳ１１３において、制御部１０１ａは、加温テーブル１７０の移送部１７３により、移送部１５０の反応容器３３を、加温テーブル１７０のいずれかの保持孔１７１に移送する。ステップＳ１１４において、制御部１０１ａは、ヒーター１７２により対象の反応容器３３を加温する。ステップＳ１１５において、制御部１０１ａは、移送部１７３により、対象の反応容器３３を第１吐出位置２６１に移送する。
【０１５３】
図２０に示すように、ステップＳ１１６において、制御部１０１ａは、試薬分注部２４０により、第１吐出位置２６１に位置付けられた対象の反応容器３３に調整試薬を分注する。ステップＳ１１７において、制御部１０１ａは、移送部１７３により、対象の反応容器３３を加温テーブル１７０の保持孔１７１に移送し、ヒーター１７２により加温する。ステップＳ１１８において、制御部１０１ａは、移送部２６０により、対象の反応容器３３を第１吐出位置２６１に移送する。ステップＳ１１９において、制御部１０１ａは、試薬分注部２４０により、第１吐出位置２６１に位置付けられた対象の反応容器３３にトリガー試薬を分注する。
【０１５４】
ステップＳ１２０において、制御部１０１ａは、移送部２６０により、トリガー試薬が分注された反応容器３３を、検出ユニット２８０の保持部２８１に移送する。ステップＳ１２１において、制御部１０１ａは、保持部２８１に保持された対象の反応容器３３内の測定試料を測定し、測定結果を情報処理装置１０３に送信する。具体的には、制御部１０１ａは、光照射ユニット４００により反応容器３３に複数の波長の光を照射し、波長ごとに生じた光を検出部２８２のセンサ６０２により受光する。そして、制御部１０１ａは、センサ６０２の出力信号を取得し、情報処理装置１０３に送信する。
【０１５５】
ステップＳ１２２において、制御部１０１ａは、移送部２６０により、測定が終了した対象の反応容器３３を廃棄口３０１に移送して廃棄する。こうして、対象検体についての測定処理が終了する。
【０１５６】
図１９に戻り、対象検体の試薬分注に使用する試薬分注部が試薬分注部２５０である場合、図１９、２０のステップＳ１３１〜Ｓ１４２の処理が行われる。ステップＳ１３１において、制御部１０１ａは、検体分注部１４０により移送部１６０の新しい反応容器３３に対象検体を分注する。この場合も、対象検体の吸引モードが第１吸引モードであった場合、検体分注部１４０は、反応容器テーブル１９０の反応容器３３から対象検体を吸引して、移送部１６０の反応容器３３に吐出する。対象検体の吸引モードが第２吸引モードであった場合、検体分注部１４０は、検体吸引位置１２２にある検体容器３２から１回の測定に必要な量の検体を吸引し、移送部１６０の反応容器３３に吐出する。
【０１５７】
ステップＳ１３２において、制御部１０１ａは、移送部１６０により、反応容器３３を加温テーブル１７０の右側近傍まで移送する。ステップＳ１３３において、制御部１０１ａは、移送部２７０により、移送部１６０の反応容器３３を、加温テーブル１７０のいずれかの保持孔１７１に移送する。ステップＳ１３４において、制御部１０１ａは、ヒーター１７２により対象の反応容器３３を加温する。ステップＳ１３５において、制御部１０１ａは、移送部１７３により、対象の反応容器３３を第２吐出位置２７１に移送する。
【０１５８】
図２０に示すように、ステップＳ１３６において、制御部１０１ａは、試薬分注部２５０により、第２吐出位置２７１に位置付けられた対象の反応容器３３に調整試薬を分注する。ステップＳ１３７において、制御部１０１ａは、移送部１７３により、対象の反応容器３３を加温テーブル１７０の保持孔１７１に移送し、ヒーター１７２により加温する。ステップＳ１３８において、制御部１０１ａは、移送部２７０により、対象の反応容器３３を第２吐出位置２７１に移送する。ステップＳ１３９において、制御部１０１ａは、試薬分注部２５０により、第２吐出位置２７１に位置付けられた対象の反応容器３３にトリガー試薬を分注する。
【０１５９】
ステップＳ１４０において、制御部１０１ａは、移送部２７０により、トリガー試薬が分注された反応容器３３を、検出ユニット２９０の保持部２９１に移送する。ステップＳ１４１において、制御部１０１ａは、保持部２９１に保持された対象の反応容器３３内の測定試料を測定し、測定結果を情報処理装置１０３に送信する。具体的には、制御部１０１ａは、光照射ユニット４００により反応容器３３に複数の波長の光を照射し、波長ごとに生じた光を検出部２９２のセンサ６１２により受光する。そして、制御部１０１ａは、センサ６１２の出力信号を取得し、情報処理装置１０３に送信する。
【０１６０】
ステップＳ１４２において、制御部１０１ａは、移送部２７０により、測定が終了した対象の反応容器３３を廃棄口３０２に移送して廃棄する。こうして、対象検体についての測定処理が終了する。
【０１６１】
なお、調整試薬が用いられずトリガー試薬のみが用いられる場合、ステップＳ１１５〜Ｓ１１７、Ｓ１３５〜Ｓ１３７が省略される。
【０１６２】
このように、測定項目に応じて、試薬の分注に用いる試薬分注部が試薬分注部２４０、２５０のいずれかに決められ、測定に用いる検出ユニットが、検出ユニット２８０、２９０のいずれかに決められている。これにより、同一の測定項目に対して同程度の精度の測定結果を得ることができる。また、同一の測定項目の場合、試薬の分注に用いる試薬分注部と測定に用いる検出ユニットが同じになる。したがって、試薬分注部２４０と検出ユニット２８０が用いられる場合の精度管理等の準備作業、および、試薬分注部２５０と検出ユニット２９０が用いられる場合の精度管理等の準備作業、の両方を行う必要がなくなる。これにより、ユーザの準備作業が簡略化される。
【０１６３】
次に、図２１（ａ）、（ｂ）を参照して、試薬の分注に用いる試薬分注部と測定項目とを関連付ける関連情報の設定について説明する。
【０１６４】
検体分析装置１００が設置された施設において、ユーザは、施設で処理する測定項目の状況等に応じて関連情報を設定する。たとえば、発生頻度の高い測定項目の測定で一方の試薬分注部が集中して使われると、検体分析装置１００の処理効率が低下するおそれがある。このような場合、ユーザは、発生頻度の高い測定項目の測定が２つの試薬分注部に分散するように関連情報を設定する。
【０１６５】
図２１（ａ）に示すように、ステップＳ３１において、制御部１０３ａは、ユーザにより入力部１０３ｄを介して設定開始指示を受け付けると、ステップＳ３２において、測定項目ごとに使用する試薬分注部の設定を受け付ける受付部７００を、表示部１０３ｃに表示する。
【０１６６】
図２１（ｂ）に示すように、受付部７００は、入力部１０３ｄを介してユーザから入力を受け付けるとともに情報を表示する画面である。受付部７００は、測定項目表示領域７１０と、試薬分注部表示領域７２０と、登録ボタン７３１と、閉じるボタン７３２と、を備える。測定項目表示領域７１０は、検体分析装置１００が測定可能な測定項目の一覧を表示するとともに、ユーザが入力部１０３ｄを介して測定項目を選択できるよう構成されている。試薬分注部表示領域７２０は、試薬分注部２４０、２５０の何れか一方の名称を表示するとともに、ユーザが入力部１０３ｄを介して試薬分注部２４０、２５０の何れか一方を選択できるよう構成されている。
【０１６７】
ユーザが入力部１０３ｄを介して登録ボタン７３１を押すと、受付部７００が閉じられ、関連情報の登録が行われる。ユーザが入力部１０３ｄを介して閉じるボタン７３２を押すと、関連情報の登録が行われることなく受付部７００が閉じられる。
【０１６８】
図２１（ａ）に戻り、ステップＳ３３において、制御部１０３ａは、登録ボタン７３１が押されたと判定すると、ステップＳ３４において、受付部７００を介して受け付けた設定に応じて、測定項目と試薬分注部を関連付けて登録する。具体的には、制御部１０３ａは、測定項目表示領域７１０で選択された測定項目と、試薬分注部表示領域７２０で設定された試薬分注部とを関連付けた情報を、記憶部１０３ｂに記憶する。そして、制御部１０３ａは、記憶部１０３ｂに記憶した関連情報を、測定部１０１に送信する。測定部１０１は、受信した関連情報を記憶部１０１ｂに記憶する。これにより、図１９のステップＳ１１０において、測定部１０１の制御部１０１ａは、対象検体の測定オーダと、記憶部１０１ｂに記憶した関連情報とに基づいて、試薬分注部２４０と試薬分注部２５０のいずれの試薬分注部を使用するかを決めることができる。
【０１６９】
たとえば、測定項目表示領域７１０において測定項目ＰＴが選択され、試薬分注部表示領域７２０において試薬分注部２４０が選択された状態で登録ボタン７３１が押されると、測定項目ＰＴと試薬分注部２４０とを関連付ける関連情報が記憶部１０３ｂ、１０１ｂに記憶される。これにより、対象検体の測定項目がＰＴである場合、試薬を分注するために試薬分注部２４０が用いられるようになる。
【０１７０】
このように、検体分析装置１００は、受付部７００を介して測定項目ごとに使用する試薬分注部の設定を受け付けることができるため、ユーザは、施設で処理する測定項目の状況に応じて、任意に測定項目ごとに使用する試薬分注部を選択できる。これにより、施設で処理する測定項目の状況に応じて、検体分析装置１００の処理効率を高めることができる。
【符号の説明】
【０１７１】
１０  検体分析装置
１１  加温テーブル
１１ａ  保持孔
１１ｂ  ヒーター
１２  第１試薬分注部
１３  第２試薬分注部
１４  第１検出ユニット
１４ａ  第１保持部
１４ｂ  第１検出部
１５  第２検出ユニット
１５ａ  第２保持部
１５ｂ  第２検出部
１６  第１移送部
１７  第２移送部
１８  第１廃棄用移送部
１９  第２廃棄用移送部
２０  第１検体移送部
２１  第２検体移送部
２２  検体分注ユニット
２３  試薬テーブル
２３ａ  第１吸引位置
２３ｂ  第２吸引位置
２４  廃棄ユニット
２５  搬送部
２６  制御部
２６ａ  第１制御部
２６ｂ  第２制御部
３２  検体容器
３３  反応容器
３４  試薬容器
１００  検体分析装置
１０１ａ、１０３ａ  制御部
１０２  搬送部
１０３ｃ  冷却装置
１２１、１２２  検体吸引位置
１３０、１４０  検体分注部
１５０  移送部
１５１  第１検体吐出位置
１６０  移送部
１６１  第２検体吐出位置
１７０  加温テーブル
１７１  保持孔
１７２  ヒーター
１７４  第１位置
１７５  第２位置
１８０  試薬テーブル
２０１  支持部
２４０、２５０  試薬分注部
２４１  第１吸引位置
２５１  第２吸引位置
２４４  第１ピペット
２４５  第１ヒーター
２５４  第２ピペット
２５５  第２ヒーター
２６０  移送部
２６１  第１吐出位置
２７０  移送部
２７１  第２吐出位置
２８０、２９０  検出ユニット
２８１、２９１  保持部
２８２、２９２  検出部
３０３  廃棄ユニット
４００  光照射ユニット
４１０  光源
４７１  第１光ファイバー
４７２  第２光ファイバー
６０２、６１２  センサ
７００  受付部
【図１】
0006689597.tif 000002
【図２】
0006689597.tif 000003
【図３】
0006689597.tif 000004
【図４】
0006689597.tif 000005
【図５】
0006689597.tif 000006
【図６】
0006689597.tif 000007
【図７】
0006689597.tif 000008
【図８】
0006689597.tif 000009
【図９】
0006689597.tif 000010
【図１０】
0006689597.tif 000011
【図１１】
0006689597.tif 000012
【図１２】
0006689597.tif 000013
【図１３】
0006689597.tif 000014
【図１４】
0006689597.tif 000015
【図１５】
0006689597.tif 000016
【図１６】
0006689597.tif 000017
【図１７】
0006689597.tif 000018
【図１８】
0006689597.tif 000019
【図１９】
0006689597.tif 000020
【図２０】
0006689597.tif 000021
【図２１】
0006689597.tif 000022